(57)【要約】      （修正有）【課題】第１のワイヤレスワイドエリアネットワーク（ＷＷＡＮ）、および第２のＷＷＡＮを介して、同時に通信し得るユーザ機器（ＵＥ）を提供する。【解決手段】システム５００において、ユーザ機器（ＵＥ）１１５−ｃは、第１のワイヤレスワイドエリアネットワーク（ＷＷＡＮ）を介して通信する。第１のＷＷＡＮモジュール２６０−ｂは、ＵＥの第１の加入者識別モジュール（ＳＩＭ）４１５−ａによってサポートされる。ＵＥはまた、第２のＳＩＭ４２０−ａによってサポートされる第２のＷＷＡＮモジュール２６５−ｂを介して同時に通信する。ＵＥは、ＷＷＡＮモジュールの一部およびワイヤレスローカルエリアネットワーク（ＷＬＡＮ）モジュールの一部で第２のＷＷＡＮ通信を処理する。【選択図】図５
2020102868.tif 000002
【特許請求の範囲】
【請求項１】
ワイヤレス通信のための方法であって、
第１のワイヤレスワイドエリアネットワーク（ＷＷＡＮ）を介して通信することと、前記第１のＷＷＡＮが、ユーザ機器（ＵＥ）の第１の加入者識別モジュール（ＳＩＭ）をサポートする、
第２のＷＷＡＮを介して通信することと、前記第２のＷＷＡＮが、前記ＵＥの第２のＳＩＭをサポートする、
前記ＵＥのＷＷＡＮトランシーバで前記第１のＷＷＡＮ通信を処理することと、
前記ＵＥの前記ＷＷＡＮトランシーバの一部およびワイヤレスローカルエリアネットワーク（ＷＬＡＮ）トランシーバの一部で前記第２のＷＷＡＮ通信を処理することと
を備える、方法。
【請求項２】
前記第１のＷＷＡＮを介して通信することが、前記ＷＷＡＮモジュールの第１のＷＷＡＮアンテナ上でＷＷＡＮ信号を受信することを備え、
前記第２のＷＷＡＮを介して通信することが、前記ＷＷＡＮモジュールの第２のＷＷＡＮアンテナ上でＷＷＡＮ信号を受信することを備える、
請求項１に記載の方法。
【請求項３】
前記第２のＷＷＡＮ通信を処理することが、
前記ＷＷＡＮモジュールの無線周波数（ＲＦ）フロントエンド構成要素を使用して、前記受信されたＷＷＡＮ信号を処理することと、
前記ＷＬＡＮモジュールの低雑音増幅器と、ダウンコンバータと、フィルタとを使用して、前記受信されたＷＷＡＮ信号を処理することと
を備える、請求項２に記載の方法。
【請求項４】
前記第２のＷＷＡＮ通信を処理することが、
前記ＷＷＡＮモジュールの無線周波数（ＲＦ）フロントエンド構成要素を使用して、前記受信されたＷＷＡＮ信号を処理することと、
前記ＷＬＡＮモジュールのアナログデジタル変換器を使用して、前記受信されたＷＷＡＮ信号を処理することと
を備える、請求項２に記載の方法。
【請求項５】
前記第２のＷＷＡＮ通信を処理することが、
前記ＷＷＡＮモジュールの無線周波数（ＲＦ）フロントエンド構成要素と低雑音増幅器とを使用して、前記受信されたＷＷＡＮ信号を処理することと、
前記ＷＬＡＮモジュールのダウンコンバータとフィルタとを使用して、前記受信されたＷＷＡＮ信号を処理することと
を備える、請求項２に記載の方法。
【請求項６】
前記第１のＷＷＡＮを介して通信することが、前記ＷＷＡＮモジュールの第１のＷＷＡＮアンテナ上でＷＷＡＮ信号を送信することを備え、
前記第２のＷＷＡＮを介して通信することが、前記ＷＷＡＮモジュールの第２のＷＷＡＮアンテナ上でＷＷＡＮ信号を送信することを備える、
請求項１に記載の方法。
【請求項７】
前記第２のＷＷＡＮ通信を処理することが、
送信より前に、前記ＷＬＡＮモジュールのドライバ増幅器と、アップコンバータと、フィルタとを使用して前記ＷＷＡＮ信号を処理することと、
送信より前に、前記ＷＷＡＮモジュールの無線周波数（ＲＦ）フロントエンド構成要素を使用して前記ＷＷＡＮ信号を処理することと
を備える、請求項６に記載の方法。
【請求項８】
前記第２のＷＷＡＮ通信を処理することが、
送信より前に、前記ＷＬＡＮモジュールのデジタルアナログ変換器を使用して前記ＷＷＡＮ信号を処理することと、
送信より前に、前記ＷＷＡＮモジュールの無線周波数（ＲＦ）フロントエンド構成要素を使用して前記ＷＷＡＮ信号を処理することと
を備える、請求項６に記載の方法。
【請求項９】
前記ＷＬＡＮを介して通信することと、
前記ＵＥの前記ＷＬＡＮモジュールで前記ＷＬＡＮ通信を処理することと
をさらに備える、請求項１に記載の方法。
【請求項１０】
前記第１のＷＷＡＮを介して通信することが、第１のＷＷＡＮアンテナを介して通信することを備え、
前記第２のＷＷＡＮを介して通信することが、第２のＷＷＡＮアンテナを介して通信することを備え、
前記ＷＬＡＮを介して通信することが、ＷＬＡＮアンテナを介して通信することを備える、
請求項９に記載の方法。
【請求項１１】
前記第２のＷＷＡＮ通信を処理することが、
前記ＷＬＡＮモジュールの前記一部で前記第２のＷＷＡＮ通信を処理するための第１の時間を識別することと、
前記ＷＬＡＮモジュールの前記一部で前記ＷＬＡＮ通信を処理するための第２の時間を識別することと
を備える、請求項９に記載の方法。
【請求項１２】
前記第２のＷＷＡＮを介して通信することが、
モバイル通信用グローバルシステム（ＧＳＭ）ネットワークを介して通信すること
を備える、請求項１に記載の方法。
【請求項１３】
ワイヤレス通信のための装置であって、
第１のワイヤレスワイドエリアネットワーク（ＷＷＡＮ）を介して通信するための手段と、前記第１のＷＷＡＮが、ユーザ機器（ＵＥ）の第１の加入者識別モジュール（ＳＩＭ）をサポートする、
第２のＷＷＡＮを介して通信するための手段と、前記第２のＷＷＡＮが、前記ＵＥの第２のＳＩＭをサポートする、
前記ＵＥのＷＷＡＮモジュールで前記第１のＷＷＡＮ通信を処理するための手段と、  前記ＵＥの前記ＷＷＡＮモジュールの一部およびワイヤレスローカルエリアネットワーク（ＷＬＡＮ）モジュールの一部で前記第２のＷＷＡＮ通信を処理するための手段と
を備える、装置。
【請求項１４】
前記第１のＷＷＡＮを介して通信するための前記手段が、前記ＷＷＡＮモジュールの第１のＷＷＡＮアンテナ上でＷＷＡＮ信号を受信するための手段を備え、
前記第２のＷＷＡＮを介して通信するための前記手段が、前記ＷＷＡＮモジュールの第２のＷＷＡＮアンテナ上でＷＷＡＮ信号を受信するための手段を備える、
請求項１３に記載の装置。
【請求項１５】
前記第２のＷＷＡＮ通信を処理するための前記手段が、
前記ＷＷＡＮモジュールの無線周波数（ＲＦ）フロントエンド構成要素を使用して、前記受信されたＷＷＡＮ信号を処理するための手段と、
前記ＷＬＡＮモジュールの低雑音増幅器と、ダウンコンバータと、フィルタとを使用して、前記受信されたＷＷＡＮ信号を処理するための手段と
を備える、請求項１４に記載の装置。
【請求項１６】
前記第２のＷＷＡＮ通信を処理するための前記手段が、
前記ＷＷＡＮモジュールの無線周波数（ＲＦ）フロントエンド構成要素を使用して、前記受信されたＷＷＡＮ信号を処理するための手段と、
前記ＷＬＡＮモジュールのアナログデジタル変換器を使用して、前記受信されたＷＷＡＮ信号を処理するための手段と
を備える、請求項１４に記載の装置。
【請求項１７】
前記第２のＷＷＡＮ通信を処理するための前記手段が、
前記ＷＷＡＮモジュールの無線周波数（ＲＦ）フロントエンド構成要素と低雑音増幅器とを使用して、前記受信されたＷＷＡＮ信号を処理するための手段と、
前記ＷＬＡＮモジュールのダウンコンバータとフィルタとを使用して、前記受信されたＷＷＡＮ信号を処理するための手段と
を備える、請求項１４に記載の装置。
【請求項１８】
前記第１のＷＷＡＮを介して通信するための前記手段が、前記ＷＷＡＮモジュールの第１のＷＷＡＮアンテナ上でＷＷＡＮ信号を送信するための手段を備え、
前記第２のＷＷＡＮを介して通信するための前記手段が、前記ＷＷＡＮモジュールの第２のＷＷＡＮアンテナ上でＷＷＡＮ信号を送信するための手段を備える、
請求項１３に記載の装置。
【請求項１９】
前記第２のＷＷＡＮ通信を処理するための前記手段が、
送信より前に、前記ＷＬＡＮモジュールのドライバ増幅器と、アップコンバータと、フィルタとを使用して前記ＷＷＡＮ信号を処理するための手段と、
送信より前に、前記ＷＷＡＮモジュールの無線周波数（ＲＦ）フロントエンド構成要素を使用して前記ＷＷＡＮ信号を処理するための手段と
を備える、請求項１８に記載の装置。
【請求項２０】
前記第２のＷＷＡＮ通信を処理するための前記手段が、
送信より前に、前記ＷＬＡＮモジュールのデジタルアナログ変換器を使用して前記ＷＷＡＮ信号を処理するための手段と、
送信より前に、前記ＷＷＡＮモジュールの無線周波数（ＲＦ）フロントエンド構成要素を使用して前記ＷＷＡＮ信号を処理するための手段と
を備える、請求項１８に記載の装置。
【請求項２１】
前記ＷＬＡＮを介して通信するための手段と、
前記ＵＥの前記ＷＬＡＮモジュールで前記ＷＬＡＮ通信を処理するための手段と
をさらに備える、請求項１３に記載の装置。
【請求項２２】
前記第１のＷＷＡＮを介して通信するための前記手段が、第１のＷＷＡＮアンテナを介して通信するための手段を備え、
前記第２のＷＷＡＮを介して通信するための前記手段が、第２のＷＷＡＮアンテナを介して通信するための手段を備え、
前記ＷＬＡＮを介して通信するための前記手段が、ＷＬＡＮアンテナを介して通信するための手段を備える、
請求項２１に記載の装置。
【請求項２３】
前記第２のＷＷＡＮ通信を処理するための前記手段が、
前記ＷＬＡＮモジュールの前記一部で前記第２のＷＷＡＮ通信を処理するための第１の時間を識別するための手段と、
前記ＷＬＡＮモジュールの前記一部で前記ＷＬＡＮ通信を処理するための第２の時間を識別するための手段と
を備える、請求項２１に記載の装置。
【請求項２４】
前記第２のＷＷＡＮを介して通信するための前記手段が、
モバイル通信用グローバルシステム（ＧＳＭ）ネットワークを介して通信するための手段
を備える、請求項１３に記載の装置。
【請求項２５】
ワイヤレス通信のための装置であって、
プロセッサと、
前記プロセッサと電子通信しているメモリと、
前記メモリに記憶された命令と
を備え、前記命令は、
第１のワイヤレスワイドエリアネットワーク（ＷＷＡＮ）を介して通信することと、前記第１のＷＷＡＮが、ユーザ機器（ＵＥ）の第１の加入者識別モジュール（ＳＩＭ）をサポートする、
第２のＷＷＡＮを介して通信することと、前記第２のＷＷＡＮが、前記ＵＥの第２のＳＩＭをサポートする、
前記ＵＥのＷＷＡＮモジュールで前記第１のＷＷＡＮ通信を処理することと、
前記ＵＥの前記ＷＷＡＮモジュールの一部およびワイヤレスローカルエリアネットワーク（ＷＬＡＮ）モジュールの一部で前記第２のＷＷＡＮ通信を処理することと
を行うために前記プロセッサによって実行可能である、装置。
【請求項２６】
前記第１のＷＷＡＮを介して通信するための前記命令が、前記ＷＷＡＮモジュールの第１のＷＷＡＮアンテナ上でＷＷＡＮ信号を受信するために前記プロセッサによって実行可能な命令を含み、
前記第２のＷＷＡＮを介して通信するための前記命令が、前記ＷＷＡＮモジュールの第２のＷＷＡＮアンテナ上でＷＷＡＮ信号を受信するために前記プロセッサによって実行可能な命令を含む、
請求項２５に記載の装置。
【請求項２７】
前記第１のＷＷＡＮを介して通信するための前記命令が、前記ＷＷＡＮモジュールの第１のＷＷＡＮアンテナ上でＷＷＡＮ信号を送信するために前記プロセッサによって実行可能な命令を含み、
前記第２のＷＷＡＮを介して通信するための前記命令が、前記ＷＷＡＮモジュールの第２のＷＷＡＮアンテナ上でＷＷＡＮ信号を送信するために前記プロセッサによって実行可能な命令を含む、
請求項２５に記載の装置。
【請求項２８】
ワイヤレス通信のためのコンピュータ実行可能コードを記憶する非一時的コンピュータ可読媒体であって、前記コードは、
第１のワイヤレスワイドエリアネットワーク（ＷＷＡＮ）を介して通信することと、前記第１のＷＷＡＮが、ユーザ機器（ＵＥ）の第１の加入者識別モジュール（ＳＩＭ）をサポートする、
第２のＷＷＡＮを介して通信することと、前記第２のＷＷＡＮが、前記ＵＥの第２のＳＩＭをサポートする、
前記ＵＥのＷＷＡＮモジュールで前記第１のＷＷＡＮ通信を処理することと、
前記ＵＥの前記ＷＷＡＮモジュールの一部およびワイヤレスローカルエリアネットワーク（ＷＬＡＮ）モジュールの一部で前記第２のＷＷＡＮ通信を処理することと
を行うためにプロセッサによって実行可能である、非一時的コンピュータ可読媒体。
【請求項２９】
前記第１のＷＷＡＮを介して通信するための前記コードが、前記ＷＷＡＮモジュールの第１のＷＷＡＮアンテナ上でＷＷＡＮ信号を受信するために前記プロセッサによって実行可能なコードを含み、
前記第２のＷＷＡＮを介して通信するための前記コードが、前記ＷＷＡＮモジュールの第２のＷＷＡＮアンテナ上でＷＷＡＮ信号を受信するために前記プロセッサによって実行可能なコードを含む、
請求項２８に記載の非一時的コンピュータ可読媒体。
【請求項３０】
前記第１のＷＷＡＮを介して通信するための前記コードが、前記ＷＷＡＮモジュールの第１のＷＷＡＮアンテナ上でＷＷＡＮ信号を送信するために前記プロセッサによって実行可能なコードを含み、
前記第２のＷＷＡＮを介して通信するための前記コードが、前記ＷＷＡＮモジュールの第２のＷＷＡＮアンテナ上でＷＷＡＮ信号を送信するために前記プロセッサによって実行可能なコードを含む、
請求項２８に記載の非一時的コンピュータ可読媒体。
【発明の詳細な説明】
【技術分野】
【０００１】
相互参照
[0001]本特許出願は、本出願の譲受人に譲渡され、２０１４年１０月２８日に出願された「WWAN and WLAN Cooperative Support of Multi-Sim Devices」と題する、Ｓｏｌｉｍａｎらによる米国特許出願第１４／５２５，９８３号の優先権を主張する。
【０００２】
[0002]本開示は、たとえば、ワイヤレス通信システムに関し、より詳細には、複数の加入者識別モジュール（ＳＩＭ）をサポートする単一のデバイス中のワイヤレスワイドエリアネットワーク（ＷＷＡＮ）構成要素およびワイヤレスローカルエリアネットワーク（ＷＬＡＮ）構成要素の協働使用（cooperative use）に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局またはアクセスポイントを含み得る。基地局またはアクセスポイントは、（たとえば、基地局からＵＥへの送信のために）ダウンリンクチャネル、および（たとえば、ＵＥから基地局への送信のために）アップリンクチャネル上で、ＵＥと通信し得る。ＵＥと基地局との間の通信は、ワイヤレスワイドエリアネットワーク（ＷＷＡＮ）を使用し得、ＵＥとアクセスポイントとの間の通信は、ワイヤレスローカルエリアネットワーク（ＷＬＡＮ）を使用し得る。Ｗｉ−Ｆｉ（登録商標）は、ＵＥによってサポートされる一般的なＷＬＡＮ技術の一例である。ＵＥは、一般に、異なるＷＷＡＮおよびＷＬＡＮ受信（Ｒｘ）および送信（Ｔｘ）チェーンを含む。たとえば、ＵＥは、ＷＷＡＮ送信のために使用される１つまたは複数のＲｘおよびＴｘチェーンを有し得、また、ＷＬＡＮ送信のために使用される別個のＲｘおよびＴｘチェーンを有し得る。
【０００５】
[0005]いくつかのＵＥは、ＵＥが特定のネットワーク上で通信することを可能にするために使用され得る、加入者識別モジュール（ＳＩＭ）を含み得る。いくつかのＵＥは、ＵＥが２つ以上のＳＩＭカードを受容し、使用するように構成されることを意味する、デュアルＳＩＭまたはマルチプルＳＩＭデバイス（dual- or multiple-SIM devices）である。したがって、マルチプルＳＩＭデバイスは、２つ以上のネットワーク上でアクティブモードまたはスタンバイモードのいずれかで同時に動作し得る。たとえば、デュアルＳＩＭ、デュアルアクティブ（ＤＳＤＡ：dual-SIM, dual-active）デバイスは、同時に２つの異なるネットワーク上でアクティブに送信および受信するように構成される。デュアルＳＩＭ、デュアルスタンバイ（ＤＳＤＳ：dual-SIM, dual standby）デバイスは、第２のネットワーク上でスタンバイモードにある間に、１つのネットワーク上でアクティブ送信を可能にするように構成される。マルチプルＳＩＭ、マルチプルアクティブ（ＭＳＭＡ：multiple-SIM, multiple active）デバイス、および／またはマルチプルＳＩＭ、マルチプルスタンバイ（ＭＳＭＳ:multiple-SIM, multiple standby）デバイスも使用され得る。各追加のＳＩＭについて、追加のＴｘおよび／またはＲｘチェーンが使用され、ＵＥのコストおよび複雑さを増やし得る。
【発明の概要】
【０００６】
[0006]ＵＥは、一般に、異なる無線アクセス技術（ＲＡＴ）のために使用され得る、複数のアンテナと複数のモジュールとを含み得る。たとえば、ＵＥと基地局との間の通信は、ワイヤレスワイドエリアネットワーク（ＷＷＡＮ）を使用し得、ＵＥとアクセスポイントとの間の通信は、ワイヤレスローカルエリアネットワーク（ＷＬＡＮ）を使用し得る。ＵＥは、一般に、異なるモジュールにおいて異なるＷＷＡＮおよびＷＬＡＮ受信（Ｒｘ）および送信（Ｔｘ）チェーンを含む。追加のＳＩＭをサポートするための追加のＲｘおよびＴｘチェーンを追加する代わりに、ＵＥのＷＬＡＮモジュール内の構成要素が、１つまたは複数のＳＩＭをサポートしてＷＷＡＮ処理のために使用され得る。たとえば、ＤＳＤＳまたはＭＳＭＳ状況では、ＵＥのＷＬＡＮモジュールの構成要素は、ＵＥによって受信されている第２のまたは追加のＷＷＡＮ信号のためのＲｘチェーンの一部として使用され得る。ＤＳＤＡまたはＭＳＭＡ状況では、ＵＥのＷＬＡＮモジュールの構成要素はまた、ＵＥによって送信されている第２のまたは追加のＷＷＡＮ信号のためのＴｘチェーンの一部として使用され得る。
【０００７】
[0007]例示的な例の第１のセットでは、ワイヤレス通信のための方法について説明する。一例では、本方法は、第１のワイヤレスワイドエリアネットワーク（ＷＷＡＮ）を介して通信することと、第１のＷＷＡＮが、ユーザ機器（ＵＥ）の第１の加入者識別モジュール（ＳＩＭ）をサポートする、第２のＷＷＡＮを介して通信することと、第２のＷＷＡＮが、ＵＥの第２のＳＩＭをサポートする、ＵＥのＷＷＡＮトランシーバで第１のＷＷＡＮ通信を処理することと、ＵＥのＷＷＡＮトランシーバの一部およびワイヤレスローカルエリアネットワーク（ＷＬＡＮ）トランシーバの一部で第２のＷＷＡＮ通信を処理することとを含み得る。
【０００８】
[0008]本方法のいくつかの例では、第１のＷＷＡＮを介して通信することは、ＷＷＡＮモジュールの第１のＷＷＡＮアンテナ上でＷＷＡＮ信号を受信することを備え、第２のＷＷＡＮを介して通信することは、ＷＷＡＮモジュールの第２のＷＷＡＮアンテナ上でＷＷＡＮ信号を受信することを備える。本方法のいくつかの例では、第２のＷＷＡＮ通信を処理することは、ＷＷＡＮモジュールの無線周波数（ＲＦ）フロントエンド構成要素を使用して、受信されたＷＷＡＮ信号を処理することと、ＷＬＡＮモジュールの低雑音増幅器と、ダウンコンバータと、フィルタとを使用して、受信されたＷＷＡＮ信号を処理することとを備える。本方法のいくつかの例では、第２のＷＷＡＮ通信を処理することは、ＷＷＡＮモジュールの無線周波数（ＲＦ）フロントエンド構成要素を使用して、受信されたＷＷＡＮ信号を処理することと、ＷＬＡＮモジュールのアナログデジタル変換器を使用して、受信されたＷＷＡＮ信号を処理することとを備える。本方法のいくつかの例では、第２のＷＷＡＮ通信を処理することは、ＷＷＡＮモジュールの無線周波数（ＲＦ）フロントエンド構成要素と低雑音増幅器とを使用して、受信されたＷＷＡＮ信号を処理することと、ＷＬＡＮモジュールのダウンコンバータとフィルタとを使用して、受信されたＷＷＡＮ信号を処理することとを備える。
【０００９】
[0009]本方法のいくつかの例では、第１のＷＷＡＮを介して通信することは、ＷＷＡＮモジュールの第１のＷＷＡＮアンテナ上でＷＷＡＮ信号を送信することを備え、第２のＷＷＡＮを介して通信することは、ＷＷＡＮモジュールの第２のＷＷＡＮアンテナ上でＷＷＡＮ信号を送信することを備える。本方法のいくつかの例では、第２のＷＷＡＮ通信を処理することは、送信より前に、ＷＬＡＮモジュールのドライバ増幅器と、アップコンバータと、フィルタとを使用してＷＷＡＮ信号を処理することと、送信より前に、ＷＷＡＮモジュールの無線周波数（ＲＦ）フロントエンド構成要素を使用してＷＷＡＮ信号を処理することとを備える。本方法のいくつかの例では、第２のＷＷＡＮ通信を処理することは、送信より前に、ＷＬＡＮモジュールのデジタルアナログ変換器を使用してＷＷＡＮ信号を処理することと、送信より前に、ＷＷＡＮモジュールの無線周波数（ＲＦ）フロントエンド構成要素を使用してＷＷＡＮ信号を処理することとを備える。
【００１０】
[0010]いくつかの例では、本方法は、ＷＬＡＮを介して通信することと、ＵＥのＷＬＡＮモジュールでＷＬＡＮ通信を処理することとをさらに含む。本方法のいくつかの例では、第１のＷＷＡＮを介して通信することは、第１のＷＷＡＮアンテナを介して通信することを備え、第２のＷＷＡＮを介して通信することは、第２のＷＷＡＮアンテナを介して通信することを備え、ＷＬＡＮを介して通信することは、ＷＬＡＮアンテナを介して通信することを備える。本方法のいくつかの例では、第２のＷＷＡＮ通信を処理することは、ＷＬＡＮモジュールの一部で第２のＷＷＡＮ通信を処理するための第１の時間を識別することと、ＷＬＡＮモジュールの一部でＷＬＡＮ通信を処理するための第２の時間を識別することとを備える。本方法のいくつかの例では、第２のＷＷＡＮを介して通信することは、モバイル通信用グローバルシステム（ＧＳＭ（登録商標））ネットワークを介して通信することを備える。
【００１１】
[0011]例示的な例の第２のセットでは、ワイヤレス通信のための装置について説明する。一例では、本装置は、第１のワイヤレスワイドエリアネットワーク（ＷＷＡＮ）を介して通信するための手段と、第１のＷＷＡＮが、ユーザ機器（ＵＥ）の第１の加入者識別モジュール（ＳＩＭ）をサポートする、第２のＷＷＡＮを介して通信するための手段と、第２のＷＷＡＮが、ＵＥの第２のＳＩＭをサポートする、ＵＥのＷＷＡＮモジュールで第１のＷＷＡＮ通信を処理するための手段と、ＵＥのＷＷＡＮモジュールの一部およびワイヤレスローカルエリアネットワーク（ＷＬＡＮ）モジュールの一部で第２のＷＷＡＮ通信を処理するための手段とを含み得る。いくつかの例では、本装置は、例示的な例の第１のセットに関して上記で説明したワイヤレス通信のための方法の１つまたは複数の態様を実装するための手段をさらに含み得る。
【００１２】
[0012]例示的な例の第３のセットでは、ワイヤレス通信のための別の装置について説明する。一例では、本装置は、プロセッサと、プロセッサと電子通信しているメモリと、メモリに記憶された命令とを含み得る。命令は、第１のワイヤレスワイドエリアネットワーク（ＷＷＡＮ）を介して通信することと、第１のＷＷＡＮが、ユーザ機器（ＵＥ）の第１の加入者識別モジュール（ＳＩＭ）をサポートする、第２のＷＷＡＮを介して通信することと、第２のＷＷＡＮが、ＵＥの第２のＳＩＭをサポートする、ＵＥのＷＷＡＮモジュールで第１のＷＷＡＮ通信を処理することと、ＵＥのＷＷＡＮモジュールの一部およびワイヤレスローカルエリアネットワーク（ＷＬＡＮ）モジュールの一部で第２のＷＷＡＮ通信を処理することとを行うためにプロセッサによって実行可能であり得る。本装置のいくつかの例では、命令はまた、例示的な例の第１のセットに関して上記で説明したワイヤレス通信のための方法の１つまたは複数の態様を実装するためにプロセッサによって実行可能であり得る。
【００１３】
[0013]例示的な例の第４のセットでは、ワイヤレス通信のためのコンピュータ実行可能コードを記憶する非一時的コンピュータ可読媒体について説明する。一例では、コードは、第１のワイヤレスワイドエリアネットワーク（ＷＷＡＮ）を介して通信することと、第１のＷＷＡＮが、ユーザ機器（ＵＥ）の第１の加入者識別モジュール（ＳＩＭ）をサポートする、第２のＷＷＡＮを介して通信することと、第２のＷＷＡＮが、ＵＥの第２のＳＩＭをサポートする、ＵＥのＷＷＡＮモジュールで第１のＷＷＡＮ通信を処理することと、ＵＥのＷＷＡＮモジュールの一部およびワイヤレスローカルエリアネットワーク（ＷＬＡＮ）モジュールの一部で第２のＷＷＡＮ通信を処理することとを行うためにプロセッサによって実行可能であり得る。本非一時的コンピュータ可読媒体のいくつかの例では、コードはまた、例示的な例の第１のセットに関して上記で説明したワイヤレス通信のための方法の１つまたは複数の態様を実装するためにプロセッサによって実行可能であり得る。
【００１４】
[0014]上記では、以下の詳細な説明がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００１５】
[0015]本開示の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００１６】
【図１】[0016]本開示の様々な態様による、ワイヤレス通信システムのシステム図。
【図２Ａ】[0017]本開示の様々な態様による、ワイヤレス通信システムの一例を示すシステム図。
【図２Ｂ】[0018]本開示の様々な態様による、ＷＬＡＮおよびＷＷＡＮ通信のための例示的なタイミング図。
【図２Ｃ】[0019]本開示の様々な態様による、ワイヤレス通信において使用するためのＵＥのブロック図。
【図３】[0020]本開示の様々な態様による、ワイヤレス通信において使用するためのデバイスのブロック図。
【図４】[0021]本開示の様々な態様による、ワイヤレス通信において使用するためのデバイスのブロック図。
【図５】[0022]本開示の様々な態様による、ワイヤレス通信において使用するためのシステムを示す図。
【図６】[0023]本開示の様々な態様による、ワイヤレス通信において使用するための別のシステムを示す図。
【図７】[0024]本開示の様々な態様による、ワイヤレス通信において使用するためのまた別のシステムを示す図。
【図８】[0025]本開示の様々な態様による、ワイヤレス通信において使用するためのさらに別のシステムを示す図。
【図９】[0026]本開示の様々な態様による、ワイヤレス通信のための方法の一例を示すフローチャート。
【図１０】[0027]本開示の様々な態様による、ワイヤレス通信のための方法の別の例を示すフローチャート。
【図１１】[0028]本開示の様々な態様による、ワイヤレス通信のための方法のまた別の例を示すフローチャート。
【詳細な説明】
【００１７】
[0029]多くのＵＥは、異なるＲＡＴ上の通信を容易にするために、複数のアンテナおよびモジュールを含む。一例では、ＵＥは、１つまたは複数のＷＷＡＮアンテナを含み得、また、少なくとも１つのＷＬＡＮアンテナを含み得る。アンテナは、それぞれ、受信（Ｒｘ）および送信（Ｔｘ）チェーンを含む、対応するモジュールを有し得る。複数のＳＩＭを有するＵＥはまた、各ＳＩＭに基づいて通信をサポートするために、複数のアンテナを有することができる。しかしながら、ＵＥ中の追加のアンテナおよびモジュールの費用は法外に高いことがある。代わりに、ＤＳＤＳまたはＭＳＭＳ状況では、（追加のＳＩＭによって容易にされるように）追加のＷＷＡＮ信号は、ダイバーシティＷＷＡＮアンテナを使用して受信され得る。追加のＷＷＡＮ信号は、次いで、ＷＷＡＮ  Ｒｘチェーンの無線周波数（ＲＦ）フロントエンド構成要素を使用して処理され得る。しかしながら、次いで、追加の信号は、さらなる処理のためにＷＬＡＮモジュールにルーティングされ得る。このようにして、ＵＥは、追加のＳＩＭによって容易にされる通信をサポートするために、ＵＥの既存のＷＷＡＮおよびＷＬＡＮアンテナおよびモジュールを再利用することが可能である。
【００１８】
[0030]一例では、追加のＳＩＭサポート信号（additional SIM-supported signal）は、ＷＬＡＮモジュール中の更新された低雑音増幅器（ＬＮＡ）とダウンコンバータ／フィルタとを使用して処理され得、次いで、処理のためにＵＥのＷＷＡＮベースバンドチップにアナログ形式で送られ得る。別の例では、追加の信号は、ＷＬＡＮモジュール中の更新されたＬＮＡと、シンセサイザ／フィルタと、アナログデジタル変換器とを使用して処理され得、次いで、処理のためにＷＷＡＮベースバンドチップにデジタル形式で送られ得る。
【００１９】
[0031]ＤＳＤＡまたはＭＳＭＡ状況では、追加のＷＷＡＮ送信はまた、ダイバーシティＷＷＡＮアンテナを使用して送信され得る。送信されるより前に、追加のＷＷＡＮ送信は、アナログ形式またはデジタル形式のいずれかで、ＵＥのＷＷＡＮベースバンドチップから出力され得る。デジタル形式である場合、追加のＷＷＡＮ送信は、ＵＥのＷＬＡＮモジュール中にあるデジタルアナログ変換器によって処理され得る。追加の送信がアナログ形式であると、それは、両方ともＷＬＡＮモジュール内に位置する、アップコンバータ／フィルタとドライバ増幅器（ＤＡ）とを使用して処理され得る。次いで、追加の送信は、ＷＷＡＮ  Ｔｘチェーンにルーティングされ得る。追加の送信はさらに、ＷＷＡＮ  ＴｘチェーンのＲＦフロントエンド構成要素を使用して処理され、次いで、ダイバーシティＷＷＡＮアンテナを介して送信され得る。
【００２０】
[0032]以下の説明は、例を与えるものであり、特許請求の範囲に記載される範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２１】
[0033]最初に図１を参照すると、システム図は、ワイヤレス通信システム１００の一例を示す。ワイヤレス通信システム１００は、（１つまたは複数の）基地局１０５と、（１つまたは複数の）アクセスポイント（ＡＰ）１１０と、ＵＥ１１５などのモバイルデバイスとを含み得る。ＡＰ１１０は、ＷＬＡＮ無線アクセスネットワーク（ＲＡＮ）、たとえば、ＩＥＥＥ８０２．１１規格ファミリーのうちの少なくとも１つを実装するネットワークを介してワイヤレス通信を与え得る。ＡＰ１１０は、たとえば、ＵＥ１１５へのＷＬＡＮまたは他の短距離（たとえば、Ｂｌｕｅｔｏｏｔｈ（登録商標）およびＺｉｇｂｅｅ（登録商標））通信アクセスを与え得る。各ＡＰ１１０は、そのエリア内のＵＥ１１５が、一般に、ＡＰ１１０と通信することができるように、地理的カバレージエリア１２２を有する。ＵＥ１１５は、異なる無線アクセスネットワークを介して、ＡＰ１１０および基地局１０５と通信する多重アクセスモバイルデバイスであり得る。移動局、携帯情報端末（ＰＤＡ）、他のハンドヘルドデバイス、ネットブック、ノートブックコンピュータ、タブレットコンピュータ、ラップトップ、ディスプレイデバイス（たとえば、ＴＶ、コンピュータモニタなど）、プリンタなど、ＵＥ１１５は、固定または移動であり、地理的カバレージエリア１２２、および／または基地局１０５の地理的カバレージエリア１２０を横断し（traverse）得る。１つのＡＰ１１０のみが示されているが、ワイヤレス通信システム１００は、複数のＡＰ１１０を含み得る。ＵＥ１１５の一部または全部は、通信リンク１３５を介してＡＰ１１０と、および／または通信リンク１２５を介して基地局１０５と関連付け、通信し得る。
【００２２】
[0034]ワイヤレス通信システム１００はまた、コアネットワーク１３０を含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００２３】
[0035]ＵＥ１１５は、２つ以上のＡＰ１１０および／または基地局１０５によってカバーされ得、したがって、異なる時間に複数のＡＰ１１０または基地局１０５に関連付けることができる。たとえば、単一のＡＰ１１０およびＵＥ１１５の関連するセットは、基本サービスセット（ＢＳＳ）と呼ばれることがある。拡張サービスセット（ＥＳＳ：extended service set）は、接続されたＢＳＳのセットである。拡張サービスセット中のＡＰ１１０を接続するために、配信システム（ＤＳ：distribution system）（図示せず）が使用される。アクセスポイント１１０のための地理的カバレージエリア１２２は、地理的カバレージエリア（図示せず）の一部のみを構成するセクタに分割され得る。ワイヤレス通信システム１００は、カバレージエリアおよび異なる技術のための重複するカバレージエリアの様々なサイズをもつ、異なるタイプ（たとえば、メトロポリタンエリア、ホームネットワークなど）のＡＰ１１０を含み得る。図示されていないが、他のワイヤレスデバイスが、ＡＰ１１０と通信することができる。
【００２４】
[0036]基地局１０５は、基地局アンテナを介してＵＥ１１５とワイヤレス通信し得る。基地局１０５のサイトの各々は、それぞれの地理的カバレージエリア１２０に対して通信カバレージを与え得る。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、またはいくつかの他の好適な用語で呼ばれることがある。基地局１０５のための地理的カバレージエリア１２０は、カバレージエリアの一部のみを構成するセクタに分割され得る（図示せず）。ワイヤレス通信システム１００は、異なるタイプの基地局１０５（たとえば、マクロ基地局および／またはスモールセル基地局）を含み得る。異なる技術のための重複する地理的カバレージエリア１２０／１２２があり得る。
【００２５】
[0037]いくつかの例では、ワイヤレス通信システム１００は、ＬＴＥ（登録商標）／ＬＴＥ−Ａネットワークの一部を含む。ＬＴＥ／ＬＴＥ−Ａネットワークでは、発展型ノードＢ（ｅＮＢ）という用語は、概して、基地局１０５を表すために使用され得、ＵＥという用語は、概して、モバイルデバイス１１５を表すために使用され得る。ワイヤレス通信システム１００は、異なるタイプのｅＮＢが様々な地理的領域に対してカバレージを与える、異機種ＬＴＥ／ＬＴＥ−Ａネットワークであり得る。たとえば、各ｅＮＢまたは基地局１０５は、マクロセル、スモールセル、および／または他のタイプのセルに対して通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００２６】
[0038]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００２７】
[0039]ワイヤレス通信システム１００は同期動作または非同期動作をサポートし得る。同期動作の場合、基地局は同様のフレームタイミングを有し得、異なる基地局からの送信は近似的に時間的に整列され得る。非同期動作の場合、基地局は異なるフレームタイミングを有し得、異なる基地局からの送信は時間的に整列されないことがある。本明細書で説明する技法は、同期動作または非同期動作のいずれかのために使用され得る。
【００２８】
[0040]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ：Ｒａｄｉｏ  Ｒｅｓｏｕｒｃｅ  Ｃｏｎｔｒｏｌ）プロトコルレイヤが、ＵＥ１１５と、基地局１０５またはユーザプレーンデータのための無線ベアラをサポートするコアネットワークとの間のＲＲＣ接続の確立と構成と保守とを行い得る。物理（ＰＨＹ）レイヤにおいて、トランスポートチャネルは物理チャネルにマッピングされ得る。
【００２９】
[0041]ＵＥ１１５はワイヤレス通信システム１００全体にわたって分散され、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいは当業者によってそのような用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅＮＢ、スモールセルｅＮＢ、リレー基地局、ＡＰなどを含む、様々なタイプの基地局およびネットワーク機器と通信することが可能であり得る。
【００３０】
[0042]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は少なくとも１つのキャリアを含み得、ここで、各キャリアは、上記で説明した様々な無線技術に従って変調された複数のサブキャリア（たとえば、異なる周波数の波形信号）からなる信号であり得る。各変調された信号は、異なるサブキャリア上で送られ得、制御情報（たとえば、基準信号、制御チャネルなど）、オーバーヘッド情報、ユーザデータなどを搬送し得る。通信リンク１２５は、（たとえば、対のスペクトルリソースを使用する）ＦＤＤ動作または（たとえば、不対のスペクトルリソースを使用する）ＴＤＤ動作を使用して、双方向通信を送信し得る。ＦＤＤのためのフレーム構造（たとえば、フレーム構造タイプ１）とＴＤＤのためのフレーム構造（たとえば、フレーム構造タイプ２）とが定義され得る。同様に、同じくワイヤレス通信システム１００に示されている通信リンク１３５は、ＵＥ１１５からアクセスポイント１１０へのＵＬ送信および／またはアクセスポイント１１０からＵＥ１１５へのＤＬ送信を含み得る。
【００３１】
[0043]システム１００のいくつかの実施形態では、基地局１０５、ＡＰ１１０、および／またはＵＥ１１５は、基地局１０５と、ＡＰ１１０と、ＵＥ１１５との間の通信品質と信頼性とを改善するために、アンテナダイバーシティ方式を採用するために複数のアンテナを含み得る。追加または代替として、基地局１０５、ＡＰ１１０、および／またはＵＥ１１５は、同じまたは異なるコード化データを搬送する複数の空間レイヤを送信するために、マルチパス環境を利用し得る多入力多出力（ＭＩＭＯ）技法を採用し得る。
【００３２】
[0044]システム１００は、基地局１０５とアクセスポイント１１０の両方と通信しているＵＥ１１５−ａを含む。一例として、ＵＥ１１５−ａは、Ｗｉ−Ｆｉまたは他のＷＬＡＮ通信を使用してアクセスポイント１１０と通信し得、ＵＥ１１５−ａは、ＬＴＥ、ＧＳＭ、または他のＷＷＡＮ通信を使用して基地局１０５と通信し得る。通信は同時であり得る。一例として、ＵＥ１１５−ａは、ＤＳＤＡまたはＭＳＭＡデバイスであり得、ＬＴＥ通信を使用して１つの基地局１０５と、ＧＳＭ通信を使用して別の基地局１０５と、およびＷｉ−Ｆｉ通信を使用してアクセスポイント１１０と通信し得る。別の例として、ＵＥ１１５−ａは、ＬＴＥ通信を使用して１つの基地局１０５と、ＧＳＭ通信を使用して同じ基地局１０５と、およびＷｉ−Ｆｉ通信を使用してアクセスポイント１１０と通信し得る。
【００３３】
[0045]ＵＥ１１５−ａは、複数のＷＷＡＮ通信間で共有され得る、単一のＷＷＡＮ  ＲｘおよびＴｘチェーンを含み得る。たとえば、（ＬＴＥ通信などの）第１のＷＷＡＮ通信は、第１の時間期間中にＷＷＡＮ  Ｒｘチェーンを利用し得、（ＧＳＭ通信などの）第２のＷＷＡＮ通信は、第２の時間期間中にＷＷＡＮ  Ｒｘチェーンを利用し得る。１つのＳＩＭによって容易にされるＷＷＡＮ通信がＷＷＡＮ  ＲｘまたはＴｘチェーンを利用しているとき、ＷＷＡＮ  ＲｘまたはＴｘチェーンは、異なるＳＩＭによって容易にされる異なるＷＷＡＮ通信のための使用に利用不可能であり得る。したがって、複数のＷＷＡＮ通信が行われている間、ＵＥ１１５−ａは、ＷＷＡＮモジュールからＷＬＡＮモジュールへの、ＷＷＡＮ通信のうちの１つのための処理の一部をオフロードするために、ＵＥ中のＷＬＡＮモジュールの一部を利用し得る。このようにして、単一のＷＷＡＮ  ＲｘおよびＴｘチェーンの利用可能性が増加させられ得る。
【００３４】
[0046]図２Ａに、ワイヤレス通信システム２００−ａの一例を示すシステム図を示す。ワイヤレス通信システム２００−ａは、基地局１０５−ａ−１と、基地局１０５−ａ−２と、アクセスポイント１１０−ａと、ＵＥ１１５−ｂとを含み得る。ＵＥ１１５−ｂは、図１のシステム１００中のＵＥ１１５−ａの一例であり得、ＷＷＡＮ通信とＷＬＡＮ通信の両方に関与し得る。基地局１０５−ａ−１、１０５−ａ−２は、図１のシステム１００中に含まれる基地局１０５の一例であり得、アクセスポイント１１０−ａは、図１のシステム１００中のアクセスポイント１１０の一例であり得る。
【００３５】
[0047]システム２００では、ＵＥ１１５−ｂは、少なくとも２つの異なるセットのアンテナ、ＷＷＡＮアンテナ２０５およびＷＬＡＮアンテナ２１０を含み得る。たとえば、ＷＷＡＮアンテナ２０５は、ＷＷＡＮモジュールに関連するＷＷＡＮアンテナであり得る。ＷＷＡＮアンテナ２０５を使用して、ＵＥ１１５−ｂは、通信リンク１２５を介して、基地局１０５−ａ−１および基地局１０５−ａ−２とのＷＷＡＮ通信に関与し得る。ＷＷＡＮアンテナ２０５および関連するＷＷＡＮモジュールは、ＷＷＡＮ通信中に使用されるＲｘチェーンとＴｘチェーンの両方を含み得る。ＷＷＡＮアンテナ２０５は、基地局１０５−ａ−１および／または基地局１０５−ａ−２とのＷＷＡＮ通信のために、１つまたは複数のダイバーシティＷＷＡＮアンテナを含み得、ここで、各ＷＷＡＮ通信が異なるＳＩＭをサポートする。１つまたは複数のダイバーシティＷＷＡＮアンテナ２０５はまた、基地局１０５−ａ−１および／または基地局１０５−ａ−２とのＷＷＡＮ通信のために使用され得、ＷＷＡＮ通信がキャリアアグリゲーション（ＣＡ）またはマルチキャリアモードにおいて１つのＳＩＭをサポートする。
【００３６】
[0048]システム２００では、ＵＥ１１５−ｂは、（通信リンク１３５を介して）アクセスポイント１１０−ａと通信するために、ＷＬＡＮアンテナ２１０を使用し得る。アクセスポイント１１０−ａとの通信は、Ｗｉ−Ｆｉまたは他のＷＬＡＮ通信であり得る。以下でより詳細に説明するように、ＷＷＡＮ通信とＷＬＡＮ通信の両方は、ＷＬＡＮアンテナ２１０に関連するＷＬＡＮモジュールのＴｘおよびＲｘチェーンの一部を共有し得る。たとえば、基地局１０５−ａ−１からのＷＷＡＮ通信がＷＷＡＮアンテナ２０５によって受信され得るものの、そのＷＷＡＮ通信は、ＷＷＡＮ  Ｒｘチェーンが基地局１０５−ａ−２からの異なるＷＷＡＮ通信を処理している間、ＷＬＡＮ  Ｒｘチェーンの一部によって処理され得る。ＷＷＡＮ通信の各々は、ＵＥ１１５−ｂ中に含まれる異なるＳＩＭをサポートし得る。
【００３７】
[0049]図２Ｂに、本開示の様々な態様による、ＷＬＡＮおよびＷＷＡＮ通信のためのタイミング図２００−ｂの一例を示す。タイミング図２００−ｂは、ＷＷＡＮタイムライン２１５とＷＬＡＮタイムライン２２０とを含む。ＷＷＡＮタイムライン２１５は、複数の等間隔に離間したタイムスロット２２５に分割され得る。ＵＥは、ＷＷＡＮを介して通信するためにいくつかのタイムスロット２２５を割り当てられ得る。たとえば、ＷＷＡＮ通信２３０は、第１のタイムスロットと第６のタイムスロットとを占有し得る。ＷＷＡＮ通信は、たとえば、ＧＳＭ通信であり得る。
【００３８】
[0050]ＵＥは、ＷＬＡＮを介して通信するために特定のタイムスロットを割り当てられないことがある。しかしながら、ＵＥは、ＷＷＡＮ通信が行われていない持続時間２５０中に行われるようにＷＬＡＮ通信２５５を構成し得る。ＷＬＡＮ通信が行われていない持続時間２５０中に、ＵＥは、他のＷＷＡＮ通信を処理するためにＷＬＡＮモジュールの構成要素を使用し得る。
【００３９】
[0051]図２Ｃに、本開示の様々な態様による、ワイヤレス通信において使用するためのＵＥ１１５−ｂ−１のブロック図を示す。ＵＥ１１５−ｂ−１は、ＷＷＡＮモジュール２６０とＷＬＡＮ２６５とを含み得る。ＷＷＡＮモジュール２６０は、ＷＷＡＮを介した通信を容易にし得る。ＷＷＡＮモジュール２６０は、第１の無線アクセス技術（ＲＡＴ）または第１の周波数帯域幅Ｆ１内の通信をサポートし得る。ＷＬＡＮモジュール２６５は、ＷＬＡＮを介した通信を容易にし得る。ＷＬＡＮモジュール２６５は、第２のＲＡＴまたは第２の周波数帯域幅Ｆ２内の通信をサポートし得る。いくつかの例では、第１の周波数帯域幅Ｆ１および第２の周波数帯域幅Ｆ２は、隣接する帯域幅であり得る。これらの例では、ＵＥ１１５−ｂ−１は、ＷＬＡＮモジュール２６５の構成要素を使用してＷＷＡＮ通信を送信および／または受信し得る。
【００４０】
[0052]図３に、本開示の様々な態様による、ワイヤレス通信において使用するためのデバイス３０５のブロック図３００を示す。デバイス３０５は、図１および／または図２を参照しながら説明したＵＥ１１５の１つまたは複数の態様の一例であり得る。デバイス３０５は、受信機モジュール３１０、ワイヤレス通信コントローラ３１５、および／または送信機モジュール３２０を含み得る。デバイス３０５はまた、プロセッサ（図示せず）であるか、またはプロセッサを含み得る。これらのモジュールの各々は互いと通信していることがある。
【００４１】
[0053]デバイス３０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的または部分的に、１つまたは複数の汎用または特定用途向けプロセッサによって実行されるようにフォーマットされた、メモリに組み込まれた命令を用いて実装され得る。
【００４２】
[0054]受信機モジュール３１０は、パケット、ユーザデータ、および／または様々な情報チャネル（たとえば、制御チャネル、データチャネルなど）に関連する制御情報などの情報を受信し得る。受信機モジュール３１０は、（Ｗｉ−Ｆｉ通信などの）ＷＬＡＮ通信ならびに（ＬＴＥまたはＧＳＭ通信などの）ＷＷＡＮ通信の両方を受信するように構成され得る。受信機モジュール３１０は、ＷＷＡＮ通信を処理するためにＷＬＡＮ通信を受信するための構成要素を使用し得る。受信機モジュール３１０は、次いで、ＷＬＡＮ構成要素によって処理されたＷＷＡＮ通信をワイヤレス通信コントローラ３１５に渡し得る。
【００４３】
[0055]ワイヤレス通信コントローラ３１５は、ワイヤレスモデムの構成要素の一部または全部を含み、ならびに／またはワイヤレスモデムおよび他のワイヤレス通信を制御し得る。ワイヤレス通信コントローラ３１５は、複数のＳＩＭでＷＷＡＮ通信をサポートし得る。各ＳＩＭはアクティブであり得、複数のＷＷＡＮ通信を受信することと送信することの両方を可能にし得る。ワイヤレス通信コントローラ３１５はまた、ＷＷＡＮ通信およびＷＬＡＮ通信の追加のベースバンド処理を実行し得る。ワイヤレス通信コントローラ３１５は、基地局および／またはアクセスポイントへの送信のために、ベースバンドＷＷＡＮ通信とベースバンドＷＬＡＮ通信とを送信機モジュール３２０に渡し得る。
【００４４】
[0056]送信機モジュール３２０は、パケット、ユーザデータ、および／または様々な情報チャネル（たとえば、制御チャネル、データチャネルなど）に関連する制御情報などの情報を送信し得る。送信機モジュール３２０は、（Ｗｉ−Ｆｉ通信などの）ＷＬＡＮ通信ならびに（ＬＴＥまたはＧＳＭ通信などの）ＷＷＡＮ通信の両方を送信するように構成され得る。送信機モジュール３２０は、送信より前にＷＷＡＮ通信を処理する代わりのために（to instead process）ＷＬＡＮ通信を送信するための構成要素を使用し得る。いくつかの例では、送信機モジュール３２０は、トランシーバモジュールにおいて受信機モジュール３１０とコロケートされ得る。
【００４５】
[0057]図４に、様々な例による、ワイヤレス通信において使用するためのデバイス３０５−ａのブロック図４００を示す。デバイス３０５−ａは、図１および／または図２を参照しながら説明したＵＥ１１５の１つまたは複数の態様の一例であり得る。デバイス３０５−ａはまた、図３を参照しながら説明したデバイス３０５の一例であり得る。デバイス３０５−ａは、受信機モジュール３１０−ａ、ワイヤレス通信コントローラ３１５−ａ、および／または送信機モジュール３２０−ａを含み得、これらは、デバイス３０５の対応するモジュールの例であり得る。デバイス３０５−ａは、プロセッサ（図示せず）をも含み得る。これらの構成要素の各々は互いに通信していることがある。
【００４６】
[0058]受信機モジュール３１０−ａは、ＷＷＡＮモジュール２６０−ａとＷＬＡＮモジュール２６５−ａとを含み得る。ＷＷＡＮモジュール２６０−ａは、受信されたＷＷＡＮ通信を処理するために使用され得る。ＷＷＡＮモジュール２６０−ａは、ＷＷＡＮモデムのＴｘおよびＲｘチェーンの構成要素の一部または全部を含み得る。ＷＷＡＮモジュール２６０−ａはまた、処理のために、受信されたＷＷＡＮ通信をＷＬＡＮモジュール２６５−ａにルーティングし得る。ＷＬＡＮモジュール２６５−ａは、ＷＬＡＮモデムのＴｘおよびＲｘチェーンの構成要素の一部または全部を含み得る。ＷＬＡＮモジュール２６５−ａは、ＷＬＡＮ通信とＷＷＡＮ通信の両方を処理し得る。ＷＷＡＮ通信は、ＷＬＡＮモジュール２６５−ａ中の構成要素の一部によって処理され、次いで、ベースバンド処理のためにワイヤレス通信コントローラ３１５−ａに渡され得る。
【００４７】
[0059]ワイヤレス通信コントローラ３１５−ａは、ＷＷＡＮモジュール２６０−ａおよび／またはＷＬＡＮモジュール２６５−ａの構成要素の一部または全部を含み、ならびに／あるいは、ＷＷＡＮモジュール２６０−ａおよびＷＬＡＮモジュール２６５−ａの動作を制御し得る。ワイヤレス通信コントローラ３１５−ａは、第１のＳＩＭ４１５と第２のＳＩＭ４２０とを含み得る。いくつかの例では、ワイヤレス通信コントローラ３１５−ａは、追加のＳＩＭ（図示せず）を含み得る。第１の通信ネットワークを介したＷＷＡＮ通信は、第１のＳＩＭ４１５をサポートし得る。第２の通信ネットワークを介したＷＷＡＮ通信は、第２のＳＩＭ４２０をサポートし得る。各追加のＳＩＭ（図示せず）は、追加の通信ネットワークを介したＷＷＡＮ通信をサポートし得る。第１のＳＩＭ４１５および第２のＳＩＭ４２０は、同時にアクティブであり得、これは、デバイス３０５−ａが２つの通信ネットワークを介したアクティブ通信をサポートすることを可能にし得る。ワイヤレス通信コントローラ３１５−ａはまた、ＷＷＡＮ通信と同時にＷＬＡＮ通信をサポートし得る。
【００４８】
[0060]送信機モジュール３２０−ａは、受信機モジュール３１０−ａとコロケートされ得、また、ＷＷＡＮモジュール２６０−ａとＷＬＡＮモジュール２６５−ａとを含み得る。ＷＷＡＮモジュール２６０−ａは、送信より前に、ＷＷＡＮ通信を処理するために使用され得る。ＷＬＡＮモジュール２６５−ａは、送信より前に、ＷＬＡＮ通信とＷＷＡＮ通信の両方を処理し得る。ＷＷＡＮ通信は、ＷＬＡＮモジュール２６５−ａ中の構成要素の一部によって処理され得る。ＷＬＡＮモジュール２６５−ａは、次いで、さらなる処理およびＷＷＡＮアンテナを介した送信のために、ＷＷＡＮ通信をＷＷＡＮモジュール２６０−ａにルーティングし得る。
【００４９】
[0061]図５に、様々な例による、ワイヤレス通信において使用するためのシステム５００を示す。システム５００は、図１および／または図２のＵＥ１１５の一例であり得るＵＥ１１５−ｃを含み得る。ＵＥ１１５−ｃは、図３および／または図４のデバイス３０５の１つまたは複数の態様の一例でもあり得る。
【００５０】
[0062]ＵＥ１１５−ｃは、ＷＷＡＮモジュール２６０−ｂと、ＷＬＡＮモジュール２６５−ｂと、ワイヤレス通信コントローラ３１５−ｂとを含み得る。ＷＷＡＮモジュール２６０−ｂは、ＷＷＡＮモデムのＴｘおよびＲｘチェーンの構成要素の一部または全部を含み得る。ＷＬＡＮモジュール２６５−ｂは、ＷＷＡＮモデムのＴｘおよびＲｘチェーンの構成要素の一部または全部を含み得る。ワイヤレス通信コントローラ３１５−ｂは、ＷＷＡＮモジュール２６０−ｂおよび／またはＷＬＡＮモジュール２６５−ｂの構成要素の一部または全部を含み、ならびに／あるいは、ＷＷＡＮモジュール２６０−ｂおよびＷＬＡＮモジュール２６５−ｂの動作を制御し得る。ワイヤレス通信コントローラ３１５−ｂは、第１のＳＩＭ４１５−ａおよび第２のＳＩＭ４２０−ａなど、複数のＳＩＭの使用による複数の通信ネットワークおよび／または複数のＲＡＴを介したＷＷＡＮ通信をサポートし得る。いくつかの例では、ワイヤレス通信コントローラ３１５−ｂは、追加のＳＩＭ（図示せず）を含み得る。いくつかの例では、第１のＳＩＭ４１５−ａは、第１のＷＷＡＮ通信をサポートし得る。たとえば、第１のＷＷＡＮ通信はＬＴＥ通信であり得る。
【００５１】
[0063]第１のＷＷＡＮ通信はＷＷＡＮ送信であり得、ＷＷＡＮモジュール２６０−ｂによって処理され、１次ＷＷＡＮアンテナ２０５−ａを介して送信され得る。代替的にまたは追加として、第１のＷＷＡＮ通信は受信されたＷＷＡＮ通信であり得る。受信されたＷＷＡＮ通信は、１次ＷＷＡＮアンテナ２０５−ａによって受信され、ＷＷＡＮモジュール２６０−ｂによって処理され得る。第１のＷＷＡＮ通信は、次いで、第１のＳＩＭ４１５−ａによって容易にされるように、ワイヤレス通信コントローラ３１５−ａによってさらに処理され得る。
【００５２】
[0064]いくつかの例では、第２のＳＩＭ４２０−ａは、第２のＷＷＡＮ通信をサポートし得る。第２のＷＷＡＮ通信は、第１のＳＩＭ４１５−ａによってサポートされる第１のＷＷＡＮ通信と同じ時間においてまたはその近くで行われ得る。第２のＷＷＡＮ通信は、異なるＲＡＴおよび／または異なる通信ネットワークを介したＷＷＡＮ通信であり得る。たとえば、第２のＷＷＡＮ通信はＧＳＭ通信であり得る。第２のＷＷＡＮ通信は、受信されたＷＷＡＮ通信または送信されたＷＷＡＮ通信であり得る。第２のＷＷＡＮ通信は、ダイバーシティＷＷＡＮアンテナ２０５−ｂを介して受信され、および／またはダイバーシティＷＷＡＮアンテナ２０５−ｂを介して送信され得る。
【００５３】
[0065]受信されたＷＷＡＮ通信のために、ワイヤレス通信コントローラ３１５−ｂは、受信されたＷＷＡＮ通信を処理するように、ＷＷＡＮモジュール２６０−ｂのＷＷＡＮ処理モジュール５０５を構成し得る。ＷＷＡＮ処理モジュール５０５は、ＷＷＡＮモジュール２６０−ｂのＲｘチェーンの一部を含み得る。ＷＷＡＮ処理モジュール５０５中のＲｘチェーンのその一部を用いた処理の後に、受信されたＷＷＡＮ通信は、さらなる処理のためにＷＬＡＮモジュール２６５−ｂにルーティングされ得る。ＷＷＡＮ通信は、第１のスイッチ５１５を使用して、ＷＬＡＮモジュール２６５−ｂにルーティングされ得る。第１のスイッチ５１５は、ワイヤレス通信コントローラ３１５−ｂおよび／またはＷＷＡＮモジュール２６０−ｂによって構成され（configured）得る。
【００５４】
[0066]ＷＬＡＮモジュール２６５−ｂは、受信されたＷＷＡＮ通信を処理するためのＷＬＡＮ処理モジュール５１０を含み得る。ＷＬＡＮ処理モジュール５１０は、ＷＬＡＮモジュール２６５−ｂのＲｘチェーンの一部を含み得る。いくつかの例では、Ｒｘチェーンのその一部は、ＷＷＡＮ通信の処理をサポートするために（たとえば、ＧＳＭ周波数をサポートするために）変更され得る。ＷＬＡＮ処理モジュール５１０中のＲｘチェーンのその一部を用いた処理の後に、受信されたＷＷＡＮ通信は、さらなるベースバンド処理のために、ワイヤレス通信コントローラ３１５−ｂにルーティングされ得る。ＷＬＡＮモジュール２６５−ｂは、第２のスイッチ５２０を使用して、ＷＷＡＮ通信をワイヤレス通信コントローラ３１５−ｂにルーティングし得る。ワイヤレス通信コントローラ３１５−ｂは、次いで、第２のＳＩＭ４２０−ａからの情報を使用して、受信されたＷＷＡＮ通信を処理し得る。
【００５５】
[0067]送信されたＷＷＡＮ通信のために、ワイヤレス通信コントローラ３１５−ｂは、第２のＳＩＭ４２０−ａからの情報を使用して、ＷＷＡＮ通信を構成し得る。ＷＷＡＮ通信は、次いで、第２のスイッチ５２０を介してＷＬＡＮモジュール２６５−ｂにルーティングされ得る。ＷＷＡＮ通信は、ＷＷＡＮモジュール２６０−ｂのＴｘチェーンの一部をバイパスするために、ＷＬＡＮモジュール２６５−ｂにルーティングされ得る。ＷＬＡＮモジュール２６５−ｂは、ＷＬＡＮ処理モジュール５１０を使用して、ＷＷＡＮ通信を処理し得る。ＷＬＡＮ処理モジュールは、ＷＬＡＮモデムのＴｘチェーンの一部を含み得る。いくつかの例では、Ｔｘチェーンのその一部は、ＷＷＡＮ通信の処理をサポートするために（たとえば、ＧＳＭ周波数をサポートするために）変更され得る。ＷＬＡＮ処理モジュール５１０中のＴｘチェーンのその一部を用いた処理の後に、ＷＷＡＮ通信は、さらなる処理および送信のために、第１のスイッチ５１５を介してＷＷＡＮモジュール２６０−ｂにルーティングされ得る。
【００５６】
[0068]ＷＷＡＮモジュール２６０−ｂは、ＷＷＡＮ処理モジュール５０５を使用して、ＷＷＡＮ通信のさらなる処理を実行し得る。ＷＷＡＮ処理モジュール５０５は、ＷＷＡＮモジュール２６０−ｂのＴｘチェーンの一部を含み得る。ＷＷＡＮ処理モジュール５０５中のＴｘチェーンのその一部による処理の後に、ＷＷＡＮモジュール２６０−ｂは、ダイバーシティＷＷＡＮアンテナ２０５−ｂを介したＷＷＡＮ通信を送信し得る。
【００５７】
[0069]図６に、様々な例による、ワイヤレス通信において使用するためのシステム６００を示す。システム６００は、図１、図２、および／または図５のＵＥ１１５の一例であり得るＵＥ１１５−ｄを含み得る。ＵＥ１１５−ｄは、図３および／または図４のデバイス３０５の１つまたは複数の態様の一例でもあり得る。
【００５８】
[0070]ＵＥ１１５−ｄは、ＷＷＡＮモジュール２６０−ｃと、ＷＬＡＮモジュール２６５−ｃと、ワイヤレス通信コントローラ３１５−ｃとを含み得る。ワイヤレス通信コントローラ３１５−ｃは、第１のＳＩＭ４１５−ｂおよび第２のＳＩＭ４２０−ｂなど、複数のＳＩＭの使用による複数の通信ネットワークおよび／または複数のＲＡＴを介したＷＷＡＮ通信をサポートし得る。いくつかの例では、第１のＷＷＡＮ通信は、第１のＳＩＭ４１５−ｂをサポートし得る。たとえば、第１のＷＷＡＮ通信はＬＴＥ通信であり得る。第１のＷＷＡＮ通信はＷＷＡＮ送信であり得、ＷＷＡＮモジュール２６０−ｃによって処理され、１次ＷＷＡＮアンテナ２０５−ｃを介して送信され得る。代替的にまたは追加として、第１のＷＷＡＮ通信は受信されたＷＷＡＮ通信であり得る。受信されたＷＷＡＮ通信は、１次ＷＷＡＮアンテナ２０５−ｃによって受信され、ＷＷＡＮモジュール２６０−ｃによって処理され得る。第１のＷＷＡＮ通信は、次いで、第１のＳＩＭ４１５−ｂによって容易にされるように、ワイヤレス通信コントローラ３１５−ｃによってさらに処理され得る。
【００５９】
[0071]いくつかの例では、第２のＷＷＡＮ通信は、第２のＳＩＭ４２０−ｂをサポートし得る。第２のＷＷＡＮ通信は、第１のＳＩＭ４１５−ｂによってサポートされる第１のＷＷＡＮ通信と同じ時間においてまたはその近くで行われ得る。第２のＷＷＡＮ通信は、異なるＲＡＴを介しておよび／または異なる通信ネットワークから受信されたＷＷＡＮ通信であり得る。たとえば、第２のＷＷＡＮ通信はＧＳＭ通信であり得る。第２のＷＷＡＮ通信は、ダイバーシティＷＷＡＮアンテナ２０５−ｄを介して受信され得る。
【００６０】
[0072]ワイヤレス通信コントローラ３１５−ｃは、受信されたＷＷＡＮ通信を処理するように、ＷＷＡＮモジュール２６０−ｃのＷＷＡＮ処理モジュール５０５−ａを構成し得る。ＷＷＡＮ処理モジュール５０５−ａは、ＷＷＡＮモジュール２６０−ｃのＲｘチェーンの一部を含み得る。たとえば、ＷＷＡＮ処理モジュール５０５−ａは、ＷＷＡＮモジュールＲｘチェーンのＲＦフロントエンド６０５を含み得る。ＷＷＡＮ処理モジュール５０５−ａは、ＷＷＡＮモジュールＲｘチェーンの低雑音増幅器（ＬＮＡ）６１０をも含み得る。ＷＷＡＮ処理モジュール５０５−ａは、受信されたＷＷＡＮ通信を処理するためにＲＦフロントエンド６０５を使用するか、または受信されたＷＷＡＮ通信を処理するためにＲＦフロントエンド６０５とＬＮＡ６１０の両方を使用し得る。
【００６１】
[0073]ＷＷＡＮ処理モジュール５０５−ａを用いた処理の後に、受信されたＷＷＡＮ通信は、さらなる処理のためにＷＬＡＮモジュール２６５−ｃにルーティングされ得る。ＷＷＡＮ通信は、第１のスイッチ５１５−ａを使用して、ＷＬＡＮモジュール２６５−ｃにルーティングされ得る。第１のスイッチ５１５−ａは、ワイヤレス通信コントローラ３１５−ｃおよび／またはＷＷＡＮモジュール２６０−ｃによって構成され得る。第１のスイッチ５１５−ａは、ＷＷＡＮモジュール２６０−ｂが他のＷＷＡＮ通信のために利用可能であり得るように、受信されたＷＷＡＮ通信が、ＷＷＡＮモジュール２６０−ｃのＲｘチェーンの残りの構成要素をバイパスすることを可能にし得る。
【００６２】
[0074]ＷＬＡＮ処理モジュール５１０−ａは、受信されたＷＷＡＮ通信を処理するためのＷＬＡＮモジュール２６５−ｃのＲｘチェーンの一部を含み得る。たとえば、ＷＬＡＮ処理モジュール５１０−ａは、ＬＮＡ６１５と、ダウンコンバータ６２０と、Ｒｘフィルタ６２５と、アナログデジタル（Ａ／Ｄ）変換器６３０とを含み得る。ＷＷＡＮ通信がＷＷＡＮ処理モジュール５０５−ａ中のＬＮＡ６１０によって処理された場合、ＷＷＡＮ通信は、ＷＬＡＮ処理モジュール５１０−ａ中のダウンコンバータ６２０とＲｘフィルタ６２５とによってさらに処理され得る。ＷＷＡＮ通信がＷＷＡＮ処理モジュール５０５−ａ中のＬＮＡ６１０によって処理されなかった場合、ＷＷＡＮ通信は、ＷＬＡＮ処理モジュール５１０−ａ中のＬＮＡ６１５と、ダウンコンバータ６２０と、Ｒｘフィルタ６２５とによってさらに処理され得る。いくつかの例では、ＷＷＡＮ通信は、Ａ／Ｄ変換器６３０によってさらに処理され得る。他の例では、ＷＬＡＮモジュール２６５−ｃは、ワイヤレス通信コントローラ３１５−ｃによる後のデジタル変換のために、ＷＷＡＮ通信をアナログ形式で出力し得る。
【００６３】
[0075]ＷＬＡＮ処理モジュール５１０−ａを用いた処理の後に、受信されたＷＷＡＮ通信は、さらなるベースバンド処理のために、ワイヤレス通信コントローラ３１５−ｃにルーティングされ得る。ＷＬＡＮモジュール２６５−ｃは、第２のスイッチ５２０−ａを使用して、ＷＷＡＮ通信をワイヤレス通信コントローラ３１５−ｃにルーティングし得る。ワイヤレス通信コントローラ３１５−ｃは、次いで、第２のＳＩＭ４２０−ｂからの情報を使用して、受信されたＷＷＡＮ通信を処理し得る。
【００６４】
[0076]図７に、様々な例による、ワイヤレス通信において使用するためのシステム７００を示す。システム７００は、図１、図２、および／または図５のＵＥ１１５の一例であり得るＵＥ１１５−ｅを含み得る。ＵＥ１１５−ｅは、図３および／または図４のデバイス３０５の１つまたは複数の態様の一例でもあり得る。
【００６５】
[0077]ＵＥ１１５−ｅは、ＷＷＡＮモジュール２６０−ｄと、ＷＬＡＮモジュール２６５−ｄと、ワイヤレス通信コントローラ３１５−ｄとを含み得る。ワイヤレス通信コントローラ３１５−ｄは、第１のＳＩＭ４１５−ｃおよび第２のＳＩＭ４２０−ｃなど、複数のＳＩＭの使用による複数の通信ネットワークおよび／または複数のＲＡＴを介したＷＷＡＮ通信をサポートし得る。いくつかの例では、第１のＷＷＡＮ通信は、第１のＳＩＭ４１５−ｃをサポートし得る。たとえば、第１のＷＷＡＮ通信はＬＴＥ通信であり得る。第１のＷＷＡＮ通信はＷＷＡＮ送信であり得、ＷＷＡＮモジュール２６０−ｄによって処理され、１次ＷＷＡＮアンテナ２０５−ｅを介して送信され得る。代替的にまたは追加として、第１のＷＷＡＮ通信は受信されたＷＷＡＮ通信であり得る。受信されたＷＷＡＮ通信は、１次ＷＷＡＮアンテナ２０５−ｅによって受信され、ＷＷＡＮモジュール２６０−ｄによって処理され得る。第１のＷＷＡＮ通信は、次いで、第１のＳＩＭ４１５−ｃによって容易にされるように、ワイヤレス通信コントローラ３１５−ｄによってさらに処理され得る。
【００６６】
[0078]いくつかの例では、第２のＷＷＡＮ通信は、第２のＳＩＭ４２０−ｃをサポートし得る。第２のＷＷＡＮ通信は、第１のＳＩＭ４１５−ｃによってサポートされる第１のＷＷＡＮ通信と同じ時間においてまたはその近くで行われ得る。第２のＷＷＡＮ通信は、異なるＲＡＴを介しておよび／または異なる通信ネットワーク上で送信されるべきＷＷＡＮ通信であり得る。たとえば、第２のＷＷＡＮ通信はＧＳＭ通信であり得る。第２のＷＷＡＮ通信は、ダイバーシティＷＷＡＮアンテナ２０５−ｆを介して送信され得る。
【００６７】
[0079]ワイヤレス通信コントローラ３１５−ｄは、第２のＳＩＭ４２０−ｃからの情報を使用して、ＷＷＡＮ通信を構成し得る。ＷＷＡＮ通信は、次いで、第２のスイッチ５２０−ｂを介してＷＬＡＮモジュール２６５−ｄにルーティングされ得る。ＷＷＡＮ通信は、ＷＷＡＮモジュール２６０−ｄのＴｘチェーンの一部をバイパスするために、ＷＬＡＮモジュール２６５−ｄにルーティングされ得る。ＷＬＡＮモジュール２６５−ｄは、ＷＬＡＮ処理モジュール５１０−ｂを使用して、ＷＷＡＮ通信を処理し得る。
【００６８】
[0080]ＷＬＡＮ処理モジュール５１０−ｂは、受信されたＷＷＡＮ通信を処理するためのＷＬＡＮモジュール２６５−ｄのＴｘチェーンの一部を含み得る。たとえば、ＷＬＡＮ処理モジュール５１０−ｂは、ドライバ増幅器（ＤＡ）７１５と、アップコンバータ７２０と、Ｔｘフィルタ７２５と、デジタルアナログ（Ｄ／Ａ）変換器７３０とを含み得る。いくつかの例では、ＷＷＡＮ通信は、ワイヤレス通信コントローラ３１５−ｄによってアナログに変換されていることがあり、次いで、Ｔｘフィルタ７２５とアップコンバータ７２０とによって処理され得る。他の例では、ワイヤレス通信コントローラ３１５−ｄからのＷＷＡＮ通信はデジタルであり得、次いで、また、ＷＬＡＮモジュール２６５−ｄのＤ／Ａ変換器７３０によって処理され得る。いくつかの例では、ＷＷＡＮ通信は、ＷＬＡＮモジュール２６５−ｄのドライバ増幅器７１５によって増幅され得る。ＷＬＡＮ処理モジュール５１０−ｂの構成要素のうちの１つまたは複数による処理の後に、ＷＷＡＮ通信は、第１のスイッチ５１５−ｂを介して、ＷＷＡＮモジュール２６０−ｄにルーティングされて、ＷＷＡＮモジュール２６０−ｄのＷＷＡＮ  Ｔｘチェーンの一部をバイパスし得、それにより、ＷＷＡＮモジュール２６０−ｄのその一部が他のＷＷＡＮ通信のために利用可能であり得る。
【００６９】
[0081]ＷＷＡＮ通信は、ＷＷＡＮモジュール２６０−ｄのＷＷＡＮ処理モジュール５０５−ｂによって処理され得る。ＷＷＡＮ処理モジュール５０５−ｂは、ＷＷＡＮモジュール２６０−ｄのＴｘチェーンの一部を含み得る。たとえば、ＷＷＡＮ処理モジュール５０５−ｂは、ＴｘチェーンのＲＦフロントエンド７０５と、Ｔｘチェーンのドライバ増幅器７１０とを含み得る。ＷＷＡＮ通信がＷＬＡＮモジュール２６５−ｄのドライバ増幅器７１５によって増幅されなかった場合、ＷＷＡＮ通信は、ＷＷＡＮモジュール２６０−ｄのドライバ増幅器７１０によって増幅され得る。ＷＷＡＮ通信がＷＬＡＮモジュール２６５−ｄのドライバ増幅器７１５によって増幅された場合、ＷＷＡＮ処理モジュール５０５−ｂは、ドライバ増幅器７１０をバイパスし、ダイバーシティＷＷＡＮアンテナ２０５−ｆを介した送信より前に、ＲＦフロントエンド７０５を使用して、ＷＷＡＮ通信を処理し得る。
【００７０】
[0082]図８に、様々な例による、ワイヤレス通信において使用するためのシステム８００を示す。システム８００は、図１、図２、図５、図６、および／または図７のＵＥ１１５の一例であり得るＵＥ１１５−ｆを含み得る。ＵＥ１１５−ｆは、図３および／または図４のデバイス３０５の１つまたは複数の態様の一例でもあり得る。
【００７１】
[0083]ＵＥ１１５−ｆは、概して、通信を送信するための構成要素と通信を受信するための構成要素とを含む、双方向の音声およびデータ通信のための構成要素を含み得る。ＵＥ１１５−ｆは、（１つまたは複数の）ＷＷＡＮアンテナ２０５ーｇと、（１つまたは複数の）ＷＬＡＮアンテナ２１０ーｄと、トランシーバモジュール８３５と、プロセッサモジュール８０５と、（ソフトウェア（ＳＷ）８２０を含む）メモリ８１５とを含み得、それらはそれぞれ、（たとえば、１つまたは複数のバス８４５を介して）直接的または間接的に互いに通信し得る。トランシーバモジュール８３５は、上記で説明したように、（１つまたは複数の）ＷＷＡＮアンテナ２０５ーｇ、（１つまたは複数の）ＷＬＡＮアンテナ２１０−ｄ、および／あるいは１つまたは複数のワイヤードまたはワイヤレスリンクを介して、１つまたは複数のネットワークと双方向に通信するように構成され得る。たとえば、トランシーバモジュール８３５は、図１および／または図２を参照すると、基地局１０５およびアクセスポイント１１０と双方向に通信するように構成され得る。トランシーバモジュール８３５は、パケットを変調し、変調されたパケットを送信のために（１つまたは複数の）ＷＷＡＮアンテナ２０５−ｇに与え、（１つまたは複数の）ＷＷＡＮアンテナ２０５−ｇから受信されたパケットを復調するように構成されたＷＷＡＮモジュール２６０−ｅを含み得る。
【００７２】
[0084]ＵＥ１１５−ｆは、複数のワイヤレス通信をコンカレントに送信および／または受信することが可能な複数の（１つまたは複数の）ＷＷＡＮアンテナ２０５−ｇを有し得る。トランシーバモジュール８３５は、複数のコンポーネントキャリアおよび／または通信ネットワークを介して１つまたは複数の基地局１０５とコンカレントに通信することが可能であり得る。さらに、トランシーバモジュール８３５は、パケットを変調し、変調されたパケットを送信のために（１つまたは複数の）ＷＬＡＮアンテナ２１０−ｄに与え、（１つまたは複数の）ＷＬＡＮアンテナ２１０−ｄから受信されたパケットを復調するように構成されたＷＬＡＮモジュール２６５−ｅを含み得る。ＵＥ１１５−ｆは、複数のワイヤレス通信をコンカレントに送信および／または受信することが可能な（１つまたは複数の）複数のＷＬＡＮアンテナ２１０−ｄを有し得る。トランシーバモジュール８３５は、（１つまたは複数の）ＷＬＡＮアンテナ２１０−ｄを介して１つまたは複数のアクセスポイント１１０と通信することが可能であり得る。トランシーバモジュール８３５は、（１つまたは複数の）ＷＷＡＮアンテナ２０５−ｇを介して受信されたＷＷＡＮ通信を処理するために、ＷＬＡＮモジュール２６５−ｅ中の構成要素の一部を使用し得る。トランシーバモジュール８３５はまた、（１つまたは複数の）ＷＷＡＮアンテナ２０５−ｇを介した送信より前に、ＷＷＡＮ通信を処理するために、ＷＬＡＮモジュール２６５−ｅ中の構成要素の一部を使用し得る。
【００７３】
[0085]ＵＥ１１５−ｆは、図３および図４のデバイス３０５の、ならびに／または図５、図６、および図７のＵＥ１１５のワイヤレス通信コントローラ３１５について上記で説明した機能を実行し得る、ワイヤレス通信コントローラ３１５−ｅを含み得る。ワイヤレス通信コントローラ３１５−ｅは、第１のＳＩＭ４１５−ｄと第２のＳＩＭ４２０−ｄとを含み得る。第１の通信ネットワークを介したＷＷＡＮ通信は、第１のＳＩＭ４１５−ｄをサポートし得、第２の通信ネットワークを介したＷＷＡＮ通信は、第２のＳＩＭ４２０−ｄをサポートし得る。
【００７４】
[0086]メモリ８１５は、ランダムアクセスメモリ（ＲＡＭ）および読取り専用メモリ（ＲＯＭ）を含み得る。メモリ８１５は、実行されたとき、プロセッサモジュール８０５に本明細書で説明する様々な機能（たとえば、処理のために、ＷＷＡＮ通信をＷＬＡＮモジュールにルーティングするなど）を実行させるように構成された命令を含んでいるコンピュータ可読、コンピュータ実行可能ソフトウェア／ファームウェアコード８２０を記憶し得る。代替的に、コンピュータ可読、コンピュータ実行可能ソフトウェア／ファームウェアコード８２０は、プロセッサモジュール８０５によって直接的に実行可能でないことがあるが、（たとえば、コンパイルされ、実行されたとき）コンピュータに本明細書で説明する機能を実行させるように構成され得る。プロセッサモジュール８０５は、インテリジェントハードウェアデバイス、たとえば、中央処理ユニット（ＣＰＵ）、マイクロコントローラ、特定用途向け集積回路（ＡＳＩＣ）などを含み得る。
【００７５】
[0087]図９は、本開示の様々な態様による、ワイヤレス通信のための方法９００の一例を示すフローチャートである。明快のために、方法９００について、図１、図２、図５、図６、図７、および／または図８を参照しながら説明したＵＥ１１５のうちの１つまたは複数の態様、ならびに／あるいは図３および／または図４を参照しながら説明したデバイス３０５のうちの１つまたは複数の態様に関して以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【００７６】
[0088]ブロック９０５において、方法９００は、第１のワイヤレスワイドエリアネットワーク（ＷＷＡＮ）を介して通信することを含み得、第１のＷＷＡＮは、ユーザ機器（ＵＥ）の第１の加入者識別モジュール（ＳＩＭ）をサポートする。第１のＷＷＡＮを介して通信することは、ＷＷＡＮモジュールの１次ＷＷＡＮアンテナ上でＷＷＡＮ信号を受信することを含み得る。第１のＷＷＡＮを介して通信することは、ＷＷＡＮモジュールの１次ＷＷＡＮアンテナ上でＷＷＡＮ信号を送信することをも含み得る。ブロック９０５における動作は、図４、図５、図６、図７、および図８を参照しながら説明したＷＷＡＮモジュール２６０を使用して実行され得る。
【００７７】
[0089]ブロック９１０において、方法９００は、第２のＷＷＡＮを介して通信することを含み得、第２のＷＷＡＮは、ＵＥの第２のＳＩＭをサポートする。第２のＷＷＡＮを介して通信することは、ＷＷＡＮモジュールのダイバーシティＷＷＡＮアンテナ上でＷＷＡＮ信号を受信することを含み得る。第２のＷＷＡＮを介して通信することは、ＷＷＡＮモジュールのダイバーシティＷＷＡＮアンテナ上でＷＷＡＮ信号を送信することをも含み得る。いくつかの例では、第２のＷＷＡＮは、モバイル通信用グローバルシステム（ＧＳＭ）ネットワークであり得る。ブロック９１０における動作は、図４、図５、図６、図７、および図８を参照しながら説明したＷＷＡＮモジュール２６０を使用して実行され得る。
【００７８】
[0090]ブロック９１５において、方法９００は、ＵＥのＷＷＡＮモジュールで第１のＷＷＡＮ通信を処理することを含み得る。ブロック９１５における動作は、図４、図５、図６、図７、および図８を参照しながら説明したＷＷＡＮモジュール２６０および／またはワイヤレス通信コントローラ３１５を使用して実行され得る。
【００７９】
[0091]ブロック９２０において、方法９００は、ＵＥのＷＷＡＮモジュールの一部およびワイヤレスローカルエリアネットワーク（ＷＬＡＮ）モジュールの一部で第２のＷＷＡＮ通信を処理することを含み得る。第２のＷＷＡＮ通信を処理することは、ＷＷＡＮモジュールの無線周波数（ＲＦ）フロントエンド構成要素を使用して、受信されたＷＷＡＮ信号を処理することを含み得る。受信されたＷＷＡＮ信号は、次いで、ＷＬＡＮモジュールにルーティングされ得、ＷＬＡＮモジュールの低雑音増幅器と、ダウンコンバータと、フィルタとを使用して処理され得る。いくつかの例では、受信されたＷＷＡＮ信号は、ＷＬＡＮモジュールのアナログデジタル変換器を使用してさらに処理され得る。いくつかの例では、第２のＷＷＡＮ通信を処理することは、ＷＷＡＮモジュールの無線周波数（ＲＦ）フロントエンド構成要素と低雑音増幅器とを使用して、受信されたＷＷＡＮ信号を処理することを含み得る。受信されたＷＷＡＮ信号は、次いで、ＷＬＡＮモジュールにルーティングされ得、ＷＬＡＮモジュールのダウンコンバータとフィルタとを使用して処理され得る。
【００８０】
[0092]いくつかの例では、第２のＷＷＡＮ通信を処理することは、送信より前に、ＷＬＡＮモジュールにＷＷＡＮ信号をルーティングすることと、ＷＬＡＮモジュールのドライバ増幅器とフィルタとを使用して、ＷＷＡＮ信号を処理することとを含み得る。ＷＷＡＮ信号は、次いで、ＷＷＡＮモジュールにルーティングされ、ＷＷＡＮモジュールのフロントエンド無線周波数（ＲＦ）構成要素を使用して処理され得る。いくつかの例では、ＷＷＡＮ信号は、ＷＬＡＮモジュールのドライバ増幅器とフィルタとによって処理される前に、ＷＬＡＮモジュールのデジタルアナログ変換器を使用して処理され得る。ブロック９２０における動作は、図４、図５、図６、図７、および図８を参照しながら説明したＷＷＡＮモジュール２６０、ＷＬＡＮモジュール２６５、および／またはワイヤレス通信コントローラ３１５を使用して実行され得る。
【００８１】
[0093]したがって、方法９００はワイヤレス通信を提供し得る。方法９００は一実装形態にすぎないこと、および方法９００の動作は、他の実装形態が可能であるように、並べ替えられるかまたは場合によっては変更され得ることに留意されたい。
【００８２】
[0094]図１０は、本開示の様々な態様による、ワイヤレス通信のための方法１０００の一例を示すフローチャートである。明快のために、方法１０００について、図１、図２、図５、図６、図７、および／または図８を参照しながら説明したＵＥ１１５のうちの１つまたは複数の態様、ならびに／あるいは図３および／または図４を参照しながら説明したデバイス３０５のうちの１つまたは複数の態様に関して以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【００８３】
[0095]ブロック１００５において、方法１０００は、ＵＥのＷＷＡＮアンテナ上でＷＷＡＮ通信を受信することを含み得、ＷＷＡＮ通信は、ＵＥの複数のＳＩＭのうちの１つをサポートする。いくつかの例では、ＷＷＡＮ通信は、モバイル通信用グローバルシステム（ＧＳＭ）通信であり得る。ブロック１００５における動作は、図４、図５、図６、図７、および図８を参照しながら説明したＷＷＡＮモジュール２６０を使用して実行され得る。
【００８４】
[0096]ブロック１０１０において、方法１０００は、ＵＥのＷＷＡＮモジュールの一部でＷＷＡＮ通信を処理することを含み得る。ＷＷＡＮ通信は、ＷＷＡＮモジュールの無線周波数（ＲＦ）フロントエンド構成要素を使用して処理され得る。いくつかの例では、ＷＷＡＮ通信はまた、ＷＷＡＮモジュールの低雑音増幅器を使用して処理され得る。シンセサイザ、フィルタ、および／またはアナログデジタル変換器など、ＷＷＡＮモジュールの他の構成要素は、バイパスされ得る。ブロック１０１０における動作は、図４、図５、図６、図７、および図８を参照しながら説明したＷＷＡＮモジュール２６０を使用して実行され得る。
【００８５】
[0097]ブロック１０１５において、方法１０００は、ＵＥのＷＬＡＮモジュールにＷＷＡＮ通信をルーティングすることを含み得る。ＷＬＡＮモジュールにＷＷＡＮ通信をルーティングすることは、シンセサイザ、フィルタ、および／またはアナログデジタル変換器など、ＷＷＡＮモジュールの他の構成要素をバイパスし得る。ブロック１０１５における動作は、図４、図５、図６、図７、および図８を参照しながら説明したＷＷＡＮモジュール２６０および／またはワイヤレス通信コントローラ３１５を使用して実行され得る。
【００８６】
[0098]ブロック１０２０において、方法１０００は、ＵＥのＷＬＡＮモジュールの一部でＷＷＡＮ通信を処理することを含み得る。ＷＷＡＮ通信は、ＷＬＡＮモジュールの低雑音増幅器と、ダウンコンバータと、フィルタとを使用して処理され得る。いくつかの例では、ＷＷＡＮ通信は、ＷＬＡＮモジュールのアナログデジタル変換器を使用してさらに処理され得る。ブロック１０２０における動作は、図４、図５、図６、図７、および図８を参照しながら説明したＷＬＡＮモジュール２６５を使用して実行され得る。
【００８７】
[0099]ブロック１０２５において、方法１０００は、ＷＷＡＮ通信をサポートするＳＩＭに対応するさらなる処理のために、ＷＷＡＮ通信をルーティングすることを含み得る。ＷＷＡＮ通信は、ＷＷＡＮ通信のさらなる処理のためにＳＩＭから情報を読み取り得る、ワイヤレス通信コントローラにルーティングされ得る。ブロック１０２５における動作は、図４、図５、図６、図７、および図８を参照しながら説明したＷＬＡＮモジュール２６５およびワイヤレス通信コントローラ３１５を使用して実行され得る。
【００８８】
[00100]したがって、方法１０００はワイヤレス通信を提供し得る。方法１０００は一実装形態にすぎないこと、および方法１０００の動作は、他の実装形態が可能であるように、並べ替えられるかまたは場合によっては変更され得ることに留意されたい。
【００８９】
[00101]図１１は、本開示の様々な態様による、ワイヤレス通信のための方法１１００の一例を示すフローチャートである。明快のために、方法１１００について、図１、図２、図５、図６、図７、および／または図８を参照しながら説明したＵＥ１１５のうちの１つまたは複数の態様、ならびに／あるいは図３および／または図４を参照しながら説明したデバイス３０５のうちの１つまたは複数の態様に関して以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【００９０】
[00102]ブロック１１０５において、方法１１００は、ＵＥのＷＷＡＮアンテナ上で送信するために、ＷＷＡＮ通信を識別することを含み得る。ＷＷＡＮ通信は、ＵＥの複数のＳＩＭのうちの１つをサポートし得、ＵＥの複数のＳＩＭのうちの１つから情報を読み取ることによって構成され得る。いくつかの例では、ＷＷＡＮ通信は、モバイル通信用グローバルシステム（ＧＳＭ）通信であり得る。ブロック１１０５における動作は、図４、図５、図６、図７、および図８を参照しながら説明したワイヤレス通信コントローラ３１５を使用して実行され得る。
【００９１】
[00103]ブロック１１１０において、方法１１００は、ＵＥのＷＬＡＮモジュールにＷＷＡＮ通信をルーティングすることを含み得る。ＷＬＡＮモジュールにＷＷＡＮ通信をルーティングすることは、ＵＥのＷＷＡＮモジュールの複数の構成要素をバイパスし得る。ブロック１１１０における動作は、図４、図５、図６、図７、および図８を参照しながら説明したＷＷＡＮモジュール２６０および／またはワイヤレス通信コントローラ３１５を使用して実行され得る。
【００９２】
[00104]ブロック１１１５において、方法１１００は、ＵＥのＷＬＡＮモジュールの一部でＷＷＡＮ通信を処理することを含み得る。ＷＷＡＮ通信は、ＷＬＡＮモジュールの低雑音増幅器と、ダウンコンバータと、フィルタとを使用して処理され得る。いくつかの例では、ＷＷＡＮ通信は、ＷＬＡＮモジュールのアナログデジタル変換器を使用してさらに処理され得る。ブロック１１１５における動作は、図４、図５、図６、図７、および図８を参照しながら説明したＷＬＡＮモジュール２６５を使用して実行され得る。
【００９３】
[00105]ブロック１１２０において、方法１１００は、ＵＥのＷＷＡＮモジュールにＷＷＡＮ通信をルーティングすることを含み得る。ＷＷＡＮ通信は、ＷＬＡＮモジュールおよびＷＷＡＮモジュールの複数の構成要素の一部をバイパスするようにルーティングされ得る。ブロック１１２０における動作は、図４、図５、図６、図７、および図８を参照しながら説明したＷＬＡＮモジュール２６５および／またはワイヤレス通信コントローラ３１５を使用して実行され得る。
【００９４】
[00106]ブロック１１２５において、方法１１００は、ＵＥのＷＷＡＮモジュールの一部でＷＷＡＮ通信を処理することを含み得る。ＷＷＡＮ通信は、ＷＷＡＮモジュールの無線周波数（ＲＦ）フロントエンド構成要素を使用して処理され得る。いくつかの例では、ＷＷＡＮ通信はまた、ＷＷＡＮモジュールの低雑音増幅器を使用して処理され得る。シンセサイザ、フィルタ、および／またはアナログデジタル変換器など、ＷＷＡＮモジュールの他の構成要素は、バイパスされ得る。ブロック１１２５における動作は、図４、図５、図６、図７、および図８を参照しながら説明したＷＷＡＮモジュール２６０を使用して実行され得る。
【００９５】
[00107]したがって、方法１１００はワイヤレス通信を提供し得る。方法１１００は一実装形態にすぎないこと、および方法１０００の動作は、他の実装形態が可能であるように、並べ替えられるかまたは場合によっては変更され得ることに留意されたい。
【００９６】
[00108]本明細書で説明した技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサル・モバイル通信システム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE（登録商標）-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可（unlicensed）および／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【００９７】
[00109]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【００９８】
[00110]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９９】
[00111]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１００】
[00112]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態が、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の一部が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１０１】
[00113]コンピュータ可読媒体は、ある場所から別の場所へのコンピュータプログラムの転送を可能にする任意の媒体を含む通信媒体と、コンピュータ記憶媒体との両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１０２】
[00114]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
【図１】
2020102868.tif 000003
【図２Ａ】
2020102868.tif 000004
【図２Ｂ】
2020102868.tif 000005
【図２Ｃ】
2020102868.tif 000006
【図３】
2020102868.tif 000007
【図４】
2020102868.tif 000008
【図５】
2020102868.tif 000009
【図６】
2020102868.tif 000010
【図７】
2020102868.tif 000011
【図８】
2020102868.tif 000012
【図９】
2020102868.tif 000013
【図１０】
2020102868.tif 000014
【図１１】
2020102868.tif 000015
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のワイヤレスワイドエリアネットワーク（ＷＷＡＮ）を介して通信することと、前記第１のＷＷＡＮが、ユーザ機器（ＵＥ）の第１の加入者識別モジュール（ＳＩＭ）をサポートする、
第２のＷＷＡＮを介して通信することと、前記第２のＷＷＡＮが、前記ＵＥの第２のＳＩＭをサポートする、
前記ＵＥのＷＷＡＮトランシーバで前記第１のＷＷＡＮ通信を処理することと、
前記ＵＥの前記ＷＷＡＮトランシーバの一部およびワイヤレスローカルエリアネットワーク（ＷＬＡＮ）トランシーバの一部で前記第２のＷＷＡＮ通信を処理することと
を備える、方法。
【手続補正２】
【補正対象書類名】明細書
【補正対象項目名】０１０２
【補正方法】変更
【補正の内容】
【０１０２】
[00114]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信のための方法であって、
第１のワイヤレスワイドエリアネットワーク（ＷＷＡＮ）を介して通信することと、前記第１のＷＷＡＮが、ユーザ機器（ＵＥ）の第１の加入者識別モジュール（ＳＩＭ）をサポートする、
第２のＷＷＡＮを介して通信することと、前記第２のＷＷＡＮが、前記ＵＥの第２のＳＩＭをサポートする、
前記ＵＥのＷＷＡＮトランシーバで前記第１のＷＷＡＮ通信を処理することと、
前記ＵＥの前記ＷＷＡＮトランシーバの一部およびワイヤレスローカルエリアネットワーク（ＷＬＡＮ）トランシーバの一部で前記第２のＷＷＡＮ通信を処理することと
を備える、方法。
［Ｃ２］
前記第１のＷＷＡＮを介して通信することが、前記ＷＷＡＮモジュールの第１のＷＷＡＮアンテナ上でＷＷＡＮ信号を受信することを備え、
前記第２のＷＷＡＮを介して通信することが、前記ＷＷＡＮモジュールの第２のＷＷＡＮアンテナ上でＷＷＡＮ信号を受信することを備える、
Ｃ１に記載の方法。
［Ｃ３］
前記第２のＷＷＡＮ通信を処理することが、
前記ＷＷＡＮモジュールの無線周波数（ＲＦ）フロントエンド構成要素を使用して、前記受信されたＷＷＡＮ信号を処理することと、
前記ＷＬＡＮモジュールの低雑音増幅器と、ダウンコンバータと、フィルタとを使用して、前記受信されたＷＷＡＮ信号を処理することと
を備える、Ｃ２に記載の方法。
［Ｃ４］
前記第２のＷＷＡＮ通信を処理することが、
前記ＷＷＡＮモジュールの無線周波数（ＲＦ）フロントエンド構成要素を使用して、前記受信されたＷＷＡＮ信号を処理することと、
前記ＷＬＡＮモジュールのアナログデジタル変換器を使用して、前記受信されたＷＷＡＮ信号を処理することと
を備える、Ｃ２に記載の方法。
［Ｃ５］
前記第２のＷＷＡＮ通信を処理することが、
前記ＷＷＡＮモジュールの無線周波数（ＲＦ）フロントエンド構成要素と低雑音増幅器とを使用して、前記受信されたＷＷＡＮ信号を処理することと、
前記ＷＬＡＮモジュールのダウンコンバータとフィルタとを使用して、前記受信されたＷＷＡＮ信号を処理することと
を備える、Ｃ２に記載の方法。
［Ｃ６］
前記第１のＷＷＡＮを介して通信することが、前記ＷＷＡＮモジュールの第１のＷＷＡＮアンテナ上でＷＷＡＮ信号を送信することを備え、
前記第２のＷＷＡＮを介して通信することが、前記ＷＷＡＮモジュールの第２のＷＷＡＮアンテナ上でＷＷＡＮ信号を送信することを備える、
Ｃ１に記載の方法。
［Ｃ７］
前記第２のＷＷＡＮ通信を処理することが、
送信より前に、前記ＷＬＡＮモジュールのドライバ増幅器と、アップコンバータと、フィルタとを使用して前記ＷＷＡＮ信号を処理することと、
送信より前に、前記ＷＷＡＮモジュールの無線周波数（ＲＦ）フロントエンド構成要素を使用して前記ＷＷＡＮ信号を処理することと
を備える、Ｃ６に記載の方法。
［Ｃ８］
前記第２のＷＷＡＮ通信を処理することが、
送信より前に、前記ＷＬＡＮモジュールのデジタルアナログ変換器を使用して前記ＷＷＡＮ信号を処理することと、
送信より前に、前記ＷＷＡＮモジュールの無線周波数（ＲＦ）フロントエンド構成要素を使用して前記ＷＷＡＮ信号を処理することと
を備える、Ｃ６に記載の方法。
［Ｃ９］
前記ＷＬＡＮを介して通信することと、
前記ＵＥの前記ＷＬＡＮモジュールで前記ＷＬＡＮ通信を処理することと
をさらに備える、Ｃ１に記載の方法。
［Ｃ１０］
前記第１のＷＷＡＮを介して通信することが、第１のＷＷＡＮアンテナを介して通信することを備え、
前記第２のＷＷＡＮを介して通信することが、第２のＷＷＡＮアンテナを介して通信することを備え、
前記ＷＬＡＮを介して通信することが、ＷＬＡＮアンテナを介して通信することを備える、
Ｃ９に記載の方法。
［Ｃ１１］
前記第２のＷＷＡＮ通信を処理することが、
前記ＷＬＡＮモジュールの前記一部で前記第２のＷＷＡＮ通信を処理するための第１の時間を識別することと、
前記ＷＬＡＮモジュールの前記一部で前記ＷＬＡＮ通信を処理するための第２の時間を識別することと
を備える、Ｃ９に記載の方法。
［Ｃ１２］
前記第２のＷＷＡＮを介して通信することが、
モバイル通信用グローバルシステム（ＧＳＭ）ネットワークを介して通信すること
を備える、Ｃ１に記載の方法。
［Ｃ１３］
ワイヤレス通信のための装置であって、
第１のワイヤレスワイドエリアネットワーク（ＷＷＡＮ）を介して通信するための手段と、前記第１のＷＷＡＮが、ユーザ機器（ＵＥ）の第１の加入者識別モジュール（ＳＩＭ）をサポートする、
第２のＷＷＡＮを介して通信するための手段と、前記第２のＷＷＡＮが、前記ＵＥの第２のＳＩＭをサポートする、
前記ＵＥのＷＷＡＮモジュールで前記第１のＷＷＡＮ通信を処理するための手段と、  前記ＵＥの前記ＷＷＡＮモジュールの一部およびワイヤレスローカルエリアネットワーク（ＷＬＡＮ）モジュールの一部で前記第２のＷＷＡＮ通信を処理するための手段と
を備える、装置。
［Ｃ１４］
前記第１のＷＷＡＮを介して通信するための前記手段が、前記ＷＷＡＮモジュールの第１のＷＷＡＮアンテナ上でＷＷＡＮ信号を受信するための手段を備え、
前記第２のＷＷＡＮを介して通信するための前記手段が、前記ＷＷＡＮモジュールの第２のＷＷＡＮアンテナ上でＷＷＡＮ信号を受信するための手段を備える、
Ｃ１３に記載の装置。
［Ｃ１５］
前記第２のＷＷＡＮ通信を処理するための前記手段が、
前記ＷＷＡＮモジュールの無線周波数（ＲＦ）フロントエンド構成要素を使用して、前記受信されたＷＷＡＮ信号を処理するための手段と、
前記ＷＬＡＮモジュールの低雑音増幅器と、ダウンコンバータと、フィルタとを使用して、前記受信されたＷＷＡＮ信号を処理するための手段と
を備える、Ｃ１４に記載の装置。
［Ｃ１６］
前記第２のＷＷＡＮ通信を処理するための前記手段が、
前記ＷＷＡＮモジュールの無線周波数（ＲＦ）フロントエンド構成要素を使用して、前記受信されたＷＷＡＮ信号を処理するための手段と、
前記ＷＬＡＮモジュールのアナログデジタル変換器を使用して、前記受信されたＷＷＡＮ信号を処理するための手段と
を備える、Ｃ１４に記載の装置。
［Ｃ１７］
前記第２のＷＷＡＮ通信を処理するための前記手段が、
前記ＷＷＡＮモジュールの無線周波数（ＲＦ）フロントエンド構成要素と低雑音増幅器とを使用して、前記受信されたＷＷＡＮ信号を処理するための手段と、
前記ＷＬＡＮモジュールのダウンコンバータとフィルタとを使用して、前記受信されたＷＷＡＮ信号を処理するための手段と
を備える、Ｃ１４に記載の装置。
［Ｃ１８］
前記第１のＷＷＡＮを介して通信するための前記手段が、前記ＷＷＡＮモジュールの第１のＷＷＡＮアンテナ上でＷＷＡＮ信号を送信するための手段を備え、
前記第２のＷＷＡＮを介して通信するための前記手段が、前記ＷＷＡＮモジュールの第２のＷＷＡＮアンテナ上でＷＷＡＮ信号を送信するための手段を備える、
Ｃ１３に記載の装置。
［Ｃ１９］
前記第２のＷＷＡＮ通信を処理するための前記手段が、
送信より前に、前記ＷＬＡＮモジュールのドライバ増幅器と、アップコンバータと、フィルタとを使用して前記ＷＷＡＮ信号を処理するための手段と、
送信より前に、前記ＷＷＡＮモジュールの無線周波数（ＲＦ）フロントエンド構成要素を使用して前記ＷＷＡＮ信号を処理するための手段と
を備える、Ｃ１８に記載の装置。
［Ｃ２０］
前記第２のＷＷＡＮ通信を処理するための前記手段が、
送信より前に、前記ＷＬＡＮモジュールのデジタルアナログ変換器を使用して前記ＷＷＡＮ信号を処理するための手段と、
送信より前に、前記ＷＷＡＮモジュールの無線周波数（ＲＦ）フロントエンド構成要素を使用して前記ＷＷＡＮ信号を処理するための手段と
を備える、Ｃ１８に記載の装置。
［Ｃ２１］
前記ＷＬＡＮを介して通信するための手段と、
前記ＵＥの前記ＷＬＡＮモジュールで前記ＷＬＡＮ通信を処理するための手段と
をさらに備える、Ｃ１３に記載の装置。
［Ｃ２２］
前記第１のＷＷＡＮを介して通信するための前記手段が、第１のＷＷＡＮアンテナを介して通信するための手段を備え、
前記第２のＷＷＡＮを介して通信するための前記手段が、第２のＷＷＡＮアンテナを介して通信するための手段を備え、
前記ＷＬＡＮを介して通信するための前記手段が、ＷＬＡＮアンテナを介して通信するための手段を備える、
Ｃ２１に記載の装置。
［Ｃ２３］
前記第２のＷＷＡＮ通信を処理するための前記手段が、
前記ＷＬＡＮモジュールの前記一部で前記第２のＷＷＡＮ通信を処理するための第１の時間を識別するための手段と、
前記ＷＬＡＮモジュールの前記一部で前記ＷＬＡＮ通信を処理するための第２の時間を識別するための手段と
を備える、Ｃ２１に記載の装置。
［Ｃ２４］
前記第２のＷＷＡＮを介して通信するための前記手段が、
モバイル通信用グローバルシステム（ＧＳＭ）ネットワークを介して通信するための手段
を備える、Ｃ１３に記載の装置。
［Ｃ２５］
ワイヤレス通信のための装置であって、
プロセッサと、
前記プロセッサと電子通信しているメモリと、
前記メモリに記憶された命令と
を備え、前記命令は、
第１のワイヤレスワイドエリアネットワーク（ＷＷＡＮ）を介して通信することと、前記第１のＷＷＡＮが、ユーザ機器（ＵＥ）の第１の加入者識別モジュール（ＳＩＭ）をサポートする、
第２のＷＷＡＮを介して通信することと、前記第２のＷＷＡＮが、前記ＵＥの第２のＳＩＭをサポートする、
前記ＵＥのＷＷＡＮモジュールで前記第１のＷＷＡＮ通信を処理することと、
前記ＵＥの前記ＷＷＡＮモジュールの一部およびワイヤレスローカルエリアネットワーク（ＷＬＡＮ）モジュールの一部で前記第２のＷＷＡＮ通信を処理することと
を行うために前記プロセッサによって実行可能である、装置。
［Ｃ２６］
前記第１のＷＷＡＮを介して通信するための前記命令が、前記ＷＷＡＮモジュールの第１のＷＷＡＮアンテナ上でＷＷＡＮ信号を受信するために前記プロセッサによって実行可能な命令を含み、
前記第２のＷＷＡＮを介して通信するための前記命令が、前記ＷＷＡＮモジュールの第２のＷＷＡＮアンテナ上でＷＷＡＮ信号を受信するために前記プロセッサによって実行可能な命令を含む、
Ｃ２５に記載の装置。
［Ｃ２７］
前記第１のＷＷＡＮを介して通信するための前記命令が、前記ＷＷＡＮモジュールの第１のＷＷＡＮアンテナ上でＷＷＡＮ信号を送信するために前記プロセッサによって実行可能な命令を含み、
前記第２のＷＷＡＮを介して通信するための前記命令が、前記ＷＷＡＮモジュールの第２のＷＷＡＮアンテナ上でＷＷＡＮ信号を送信するために前記プロセッサによって実行可能な命令を含む、
Ｃ２５に記載の装置。
［Ｃ２８］
ワイヤレス通信のためのコンピュータ実行可能コードを記憶する非一時的コンピュータ可読媒体であって、前記コードは、
第１のワイヤレスワイドエリアネットワーク（ＷＷＡＮ）を介して通信することと、前記第１のＷＷＡＮが、ユーザ機器（ＵＥ）の第１の加入者識別モジュール（ＳＩＭ）をサポートする、
第２のＷＷＡＮを介して通信することと、前記第２のＷＷＡＮが、前記ＵＥの第２のＳＩＭをサポートする、
前記ＵＥのＷＷＡＮモジュールで前記第１のＷＷＡＮ通信を処理することと、
前記ＵＥの前記ＷＷＡＮモジュールの一部およびワイヤレスローカルエリアネットワーク（ＷＬＡＮ）モジュールの一部で前記第２のＷＷＡＮ通信を処理することと
を行うためにプロセッサによって実行可能である、非一時的コンピュータ可読媒体。
［Ｃ２９］
前記第１のＷＷＡＮを介して通信するための前記コードが、前記ＷＷＡＮモジュールの第１のＷＷＡＮアンテナ上でＷＷＡＮ信号を受信するために前記プロセッサによって実行可能なコードを含み、
前記第２のＷＷＡＮを介して通信するための前記コードが、前記ＷＷＡＮモジュールの第２のＷＷＡＮアンテナ上でＷＷＡＮ信号を受信するために前記プロセッサによって実行可能なコードを含む、
Ｃ２８に記載の非一時的コンピュータ可読媒体。
［Ｃ３０］
前記第１のＷＷＡＮを介して通信するための前記コードが、前記ＷＷＡＮモジュールの第１のＷＷＡＮアンテナ上でＷＷＡＮ信号を送信するために前記プロセッサによって実行可能なコードを含み、
前記第２のＷＷＡＮを介して通信するための前記コードが、前記ＷＷＡＮモジュールの第２のＷＷＡＮアンテナ上でＷＷＡＮ信号を送信するために前記プロセッサによって実行可能なコードを含む、
Ｃ２８に記載の非一時的コンピュータ可読媒体。
【外国語明細書】
2020102868000001.pdf